(57)【要約】      （修正有）【課題】暗証情報の設定や変更をドアに取付けたまま、容易かつ速やかに行なえ、また押しボタンの悪戯や押し間違い故障を回避したボタン錠を提供する。【解決手段】複数の押しボタン２０を出没可能に取付けたハウジング１８を設け、押しボタン２０と係脱かつ同軸方向に移動可能に配置したロックピンを挿入可能なプレートキー孔とロックピンと当接可能なプレートロック孔を形成したロック板を設け、内部に備えたリセットバネを介し挿入したロックピンの軸方向変位を保持し、かつ解除可能なリセット板を設ける。押しボタン２０の押圧時にロックピンを介しロック板の移動を制御し、ロック板と駆動カムとの係合を解除可能にしたボタン錠であり、リセット板とロック板とを摺動かつ平行に収容可能な暗証情報制御装置を設け、ハウジング１８に着脱可能に装着した。【選択図】図１
2011252280.tif 000002
【特許請求の範囲】
【請求項１】
複数の押しボタンを出没可能に取付けたハウジングと、前記押しボタンと係脱かつ同軸方向に移動可能に配置したロックピンと、該ロックピンを挿入可能なプレートキー孔とロックピンと当接可能なプレートロック孔を形成したロック板と、該ロック板と平行に配置され、内部にリセットバネを備え、該リセットバネを介し挿入したロックピンの軸方向変位を保持し、かつ解除可能なリセット板と、前記ロック板の移動域に回動かつ係合可能に配置した本締錠に連係する駆動カムと、を備え、前記押しボタンの押圧時にロックピンを介しロック板の移動を制御し、該ロック板と前記駆動カムとの係合を解除可能にしたボタン錠において、前記リセット板とロック板とを摺動かつ平行に収容可能な暗証情報制御装置を設け、該暗証情報制御装置を前記ハウジングに着脱可能に装着したことを特徴とするボタン錠。
【請求項２】
前記暗証情報制御装置は、制御装置ケースと制御装置カバーとを密着固定して構成し、該暗証情報制御装置の内部に前記ロック板とリセット板とロックピンとを収容した請求項１記載のボタン錠。
【請求項３】
前記制御装置ケースを前記ハウジングの内側に配置し、制御装置カバーをドア側に配置して取付けた請求項１記載のボタン錠。
【請求項４】
ハウジング内に共通の暗証情報制御装置を備え、該暗証情報制御装置の機構を基にハウジングの形状と押しボタンの形状および個数並びに間隔を採択可能にした請求項１記載のボタン錠。
【請求項５】
前記暗証情報制御装置に前記ロックピンを回動可能に支持し、該ロックピンの中間部に係合爪を突設した請求項１記載のボタン錠。
【請求項６】
前記制御装置カバーとリセット板との間に記憶セット板を移動可能に配置し、該記憶セット板に前記係合爪と係合可能なドグを形成した請求項５記載のボタン錠。
【請求項７】
前記記憶セット板とリセット板との間に記憶リセット板を移動可能に配置し、該記憶リセット板に前記係合爪と係合可能なドグを形成した請求項５記載のボタン錠。
【請求項８】
前記ロックピンの係合爪を、前記記憶セット板と記憶リセット板とに亘って係合可能に配置した請求項６または請求項７記載のボタン錠。
【請求項９】
前記記憶セット板と記憶リセット板の端部を正逆回動可能な記憶変更カムに係合可能に連係し、該記憶変更カムの回動を介して、記憶セット板または記憶リセット板を反対方向へ移動可能に設けた請求項６または７記載のボタン錠。
【請求項１０】
前記記憶変更カムを、ドアの内側に設けた正逆回動可能な回動体の回動変位に連係した請求項９記載のボタン錠。
【請求項１１】
暗証情報設定時、前記記憶セット板を移動可能に設け、前記ドグをロックピンの係合爪に係合し、該ロックピンを回動可能にした請求項６記載のボタン錠。
【請求項１２】
暗証情報設定時または暗証情報解除時若しくは暗証情報変更時、前記ロックピンの回動位置を保持可能にした請求項５記載のボタン錠。
【請求項１３】
突起を形成した制御装置カバ−の内面にストップワッシャーを回動可能に収容し、該ワッシャーにロックピンの端部を係入可能な角孔を形成し、前記ワッシャーを前記制御装置カバーの内面に押圧可能に付勢するとともに、前記ワッシャーの裏面に前記突起と係合可能な十字状の係合溝を形成し、該ワッシャーをロックピンの回動に同動し、かつその回動位置を保持可能にした請求項１２記載のボタン錠。
【請求項１４】
暗証情報設定時、前記押しボタンを介しロックピンを軸方向へ移動し、該ロックピンの暗証情報制御装置内の移動位置を保持し、該ロックピンの係合爪に前記ドグを係合して回動し、該回動位置を保持してロックピンを軸方向の原位置へ移動し、該ロックピンをプレートロック孔に係合可能に配置し、施錠可能にした請求項１２記載のボタン錠。
【請求項１５】
前記暗証情報設定後、所定の押しボタンを介しロックピンを軸方向へ移動し、該ロックピンの暗証情報制御装置内の移動位置を保持し、該ロックピンとプレートロック孔との係合を解除可能に配置し、解錠可能にした請求項１２記載のボタン錠。
【請求項１６】
前記暗証情報設定後、前記ロックピンとプレートロック孔との係合を解除可能に配置し、かつ前記ロック板をエンターピンを介して駆動カムから後退させ、解錠可能にした請求項１５記載のボタン錠。
【請求項１７】
前記暗証情報制御装置の下側にエンターピンを軸方向に移動可能に設け、該エンターピンをロック板の開口窓に配置し、該エンターピンにスライダを直交方向へ移動可能に取付け、該スライダを前記開口窓の口縁部に係合可能に配置した請求項１６記載のボタン錠。
【請求項１８】
前記ロック板の下側にブレーキバネを介して緩衝板を移動可能に取付け、該緩衝板に前記スライダを係合可能に配置し、前記エンターピンを軸方向へ移動し、かつ前記スライダを直交方向へ移動させ、前記緩衝板を前記ブレーキバネに抗して移動可能にした請求項１７記載のボタン錠。
【請求項１９】
前記設定した暗証情報の解除時、前記記憶リセット板を暗証情報設定時における記憶セット板の移動方向と反対方向に移動可能に設け、記憶リセット板のドグを暗証情報設定時における係合爪と反対側に係合し、該ロックピンを暗証番号設定時と反対方向へ回動可能にした請求項８記載のボタン錠。
【請求項２０】
前記既設暗証情報の解除後、前記回動体を暗証情報設定時と反対方向へ回動し、新たな暗証情報に対応する押しボタンを介しロックピンを軸方向へ移動し、該ロックピンの暗証情報制御装置内の移動位置を保持し、該ロックピンの係合爪に前記ドグを係合して回動し、該回動位置を保持してロックピンを軸方向の原位置へ移動し、該ロックピンをプレートロック孔に係合可能に配置し、暗証情報を変更可能にした請求項１０記載のボタン錠。
【請求項２１】
前記暗証情報制御装置にリセットピンを軸方向に移動可能に設け、該リセットピンをドアの内側に設けた切替摘みの回動変位に連係して回動可能に設けるとともに、リセットピンに係合片と突起を突設し、該係合片の端面と突起をロック板の開口部周縁に係合可能に設け、リセットピンの回動位置を介しロック板の作動を制御可能にした請求項１記載のボタン錠。
【請求項２２】
前記リセットピンの係合片の端面と突起を前記開口部内に位置付け、ロック板の作動変位を増量した請求項２１記載のボタン錠。
【請求項２３】
前記リセットピンの突起を前記開口部の上側開口縁に形成した切欠溝に係合し、ロック板の作動変位を抑制可能にした請求項２１記載のボタン錠。
【請求項２４】
前記リセットピンの突起を前記開口部の下側開口縁に係合し、ロック板の作動変位を阻止可能にした請求項２１記載のボタン錠。
【請求項２５】
ドアの内側に切替座を配置し、該切替座に前記記憶変更ピンに連係する回動体と、前記リセットピンに連係する切替摘みとを設けた請求項１０または請求項２１記載のボタン錠
【請求項２６】
前記回動体を暗証情報設定時または暗証情報解除に正逆方向に回動し、常時は中立位置に位置付け可能にした請求項２５記載のボタン錠。
【請求項２７】
前記回動体をキーまたはサムターン、コインを介して回動可能にした請求項２６記載のボタン錠。
【請求項２８】
前記切替摘みを空錠若しくは自動施錠またはデッドロック位置に切替え可能にし、常時は自動施錠位置に位置付け可能にした請求項２５記載のボタン錠。
【請求項２９】
前記切替座にカバーを開閉可能に設け、前記カバーの内側に前記回動体と切替摘みを配置した請求項２５記載のボタン錠。
【請求項３０】
前記切替座にデッドロックボタンを押圧可能に設け、該デッドロックボタンを押圧変位に連係して切替摘みを回動可能に設け、該切替摘みの回動変位にリセットピンを連係し、該リセットピンの突起をロック板の開口部の下側開口縁に係合可能にした請求項２４記載のボタン錠。
【請求項３１】
ドアの内側に前記切替座と、室内側のハンドル取付座を分離し離間して配置した請求項２５記載のボタン錠。
【請求項３２】
前記ハウジング内の下部に、本締錠の角芯棒の回動機構に連係するシリンダ錠を設け、該シリンダ錠の解錠操作を介し前記デッドロック時に開扉可能にした請求項２５記載のボタン錠。
【請求項３３】
前記ハウジングの内側に、押ボタン軸を出入り可能な複数の通孔を有するボタン押え板を配置し、該ボタン押え板の一側に複数の長孔を形成した探り防止板を近接して配置し、該探り防止板を下方へ移動可能に付勢する一方、前記探り防止板にエンターボタンを挿入可能な通孔を設け、該通孔の口縁部にエンターボタンのテーパ部を係合可能に配置した請求項１記載のボタン錠。
【請求項３４】
前記ロックピンをダイカスト成形した請求項１記載のボタン錠。
【発明の詳細な説明】
【技術分野】
【０００１】
本発明は、施解錠の暗証情報を設定し記憶する機構とその構成部品を集約してカートリッジ状に構成し、これをハウジング内部に着脱可能に装着し、種々の表装デザインに流用し得るようにして、合理的な製作とデザインおよびメンテナンスの合理化を図り、量産化を促すとともに、暗証情報の設定や変更をドアに取付けたまま、工具の使用を要することなく容易かつ速やかに行なえ、しかも防御機能を強化して使用上の利便性と安全性を向上し、更に設計を合理化しロックピンの強度負担を軽減して、押しボタンの悪戯や押し間違いによる故障を回避し、使用上の安全性と生産性の向上を図れるボタン錠に関する。
【背景技術】
【０００２】
近時、住宅や会社、駅舎、店舗、病院等のドア錠として、鍵の使用を省略したキーレスタイプの錠前が普及してきている。
前記キーレスタイプの錠前のうち、機械的な手法で施解錠作動する、いわゆるメカロック錠は、電気的な手法で施解錠作動する電子または電気錠に比べ、配線が不要で停電若しくは電源確保の心配がなく、したがって防御能力の向上とメンテナンスの軽減を図れ、しかも機械的強度が大きい等の利点があるため、その需要が増大している。
【０００３】
前記メカロック錠はドアに取付けられ、そのケースフレームに暗証番号を設定する複数の押しボタンとドアハンドルを設け、またドアの内部に本締錠を設け、該本締錠を押しボタンの操作に連動させて施解錠する構成が採られている。
前記メカロック錠の中に、ケースフレームの表面に板状のブロックを取付け、前記ケースフレームの内部に複数の板体を積層配置し、該板体に複数のスリット若しくは通孔を形成し、そのスリット若しくは通孔にスリットを形成した略Ｓ字状の板状のボタンを正立または倒立させて挿入し、当該押しボタンを記憶状態または非記憶状態に設定して暗証番号を入力するものがある（例えば、特許文献１および２参照）。
【０００４】
しかし、前記のものは、暗証番号の設定または変更時、ブロックおよびケースフレームをドアから取り外してボタンを表出し、また隣接部品を分解して各ボタンの正立または倒立状態を組み換え、板体のスリットに挿入する煩雑な作業を要し、手間が掛かる上に、ボタンの正立または倒立状態が酷似して間違え易く、しかもケースフレームに各板体を順次積層配置し、これらを一体に固定しているため、ケースフレームと各板体とが分離不可分になって、それらの合理的な製作ないし量産化が難しく、また各部の形状寸法が制約されて、ケースフレームのデザインに自由度が得られない、等の問題があった。
【０００５】
このような問題を解決するものとして、ケースフレームの内部に複数のスライド板を積層配置し、該スライド板に複数のスリット若しくは挿入孔を形成し、そのスリット若しくは挿入孔に複数のノッチを軸周面に形成した押しボタンを挿入し、該押しボタンの端部のノッチをドアの裏面に表出可能に配置し、該ノッチにドライバーを係合して何れかの方向に回動し、当該押しボタンを記憶状態または非記憶状態に設定して暗証番号を入力するものがある（例えば、特許文献３および４参照）。
【０００６】
前記のものは、暗証番号の設定または変更に構成部品の取り外しを要しない分、作業の煩雑を解消できるが、ドライバー等の工具の使用を要し、またケースフレームに各板体を順次積層配置しているため、製作の合理化や量産化が難しく、各部の形状寸法が制約されて、ケースフレームのデザインが拘束され、しかもボタンの構成が更に複雑になって製作が難しくなる等の問題があった。
【０００７】
しかも、前記のものは解錠時に押しボタンの位置をスリットに平行に位置付け、キープレートを移動可能にしてカムピンとプレートとの係合を解除後、ドアハンドルを回動するため、悪戯等によって押しボタンが適正に操作されず、または押しボタンを押し間違えたままドアハンドルを回動すると、不適正な押しボタンにキープレートが係合して、該押しボタンが折曲し故障する惧れがあった。
このため、前記問題の解決手段として、押しボタンの材質強度を強化すると、材料費が上昇し生産性が低下するという問題があった。
【０００８】
また、他のメカロック錠として、ケースの表面に暗証情報を入力可能な複数の操作ボタンと、操作具を挿入可能な操作孔を操作ボタンの近接位置に設け、ケースの内部に操作ボタンの操作毎に回動可能なボタンギヤと、該ボタンギヤに噛合可能なターミナルギヤと、該ターミナルギヤに噛合可能なリセットギヤを設け、暗証番号を設定または変更する際は操作具を操作孔に挿入し、対応する操作ボタンを所定回数押圧するようにしたものがある（例えば、特許文献５参照）。
【０００９】
しかし、前記のものは、暗証番号の設定または変更に構成部品の取り外しを要しない分、作業の煩雑を解消できるが、操作具の使用を要し、またケースに各板体を順次積層配置しているため、製作の合理化や量産化が難しく、各部の形状寸法が制約されて、ケースのデザインが拘束されてしまう等の問題があった。
【先行技術文献】
【特許文献】
【００１０】
【特許文献１】特公昭６２−５４９５１号公報
【特許文献２】特許第２８０３８０４号公報
【特許文献３】特開昭５８−８００７４号公報
【特許文献４】特許第３６４８０４３号公報
【特許文献５】特許第３５４２７９７号公報
【発明の概要】
【発明が解決しようとする課題】
【００１１】
本発明はこのような問題を解決し、施解錠の暗証情報を設定し記憶する機構とその構成部品を集約してカートリッジ状に構成し、これをハウジング内部に着脱可能に装着し、種々の表装デザインに流用し得るようにして、合理的な製作とデザインおよびメンテナンスの合理化を図り、量産化を促すとともに、暗証情報の設定や変更をドアに取付けたまま、工具の使用を要することなく容易かつ速やかに行なえ、しかも防御機能を強化して使用上の利便性と安全性を向上し、更に設計を合理化しロックピンの強度負担を軽減して、押しボタンの悪戯や押し間違いによる故障を回避し、使用上の安全性と生産性の向上を図れるボタン錠を提供することを目的とする。
【課題を解決するための手段】
【００１２】
請求項１の発明は、複数の押しボタンを出没可能に取付けたハウジングと、前記押しボタンと係脱かつ同軸方向に移動可能に配置したロックピンと、該ロックピンを挿入可能なプレートキー孔とロックピンと当接可能なプレートロック孔を形成したロック板と、該ロック板と平行に配置され、内部にリセットバネを備え、該リセットバネを介し挿入したロックピンの軸方向変位を保持し、かつ解除可能なリセット板と、前記ロック板の移動域に回動かつ係合可能に配置した本締錠に連係する駆動カムと、を備え、前記押しボタンの押圧時にロックピンを介しロック板の移動を制御し、該ロック板と前記駆動カムとの係合を解除可能にしたボタン錠において、前記リセット板とロック板とを摺動かつ平行に収容可能な暗証情報制御装置を設け、該暗証情報制御装置を前記ハウジングに着脱可能に装着し、暗証情報制御装置の機構とその構成部品を集約してカートリッジ状に構成することによって、暗証情報制御装置の機構を共有し、種々の外装デザインに流用し得るようにして、合理的な製作とデザインおよびメンテナンスの合理化を図り、量産化を促すようにしている。
【００１３】
請求項２の発明は、前記暗証情報制御装置は、制御装置ケースと制御装置カバーとを密着固定して構成し、その内部に前記ロック板とリセット板とロックピンとを収容し、暗証情報制御装置を堅牢に構成し、その内部に収容したロック板と、リセット板とロックピンとを確実かつ安全に防護するようにしている。
請求項３の発明は、前記制御装置ケースを前記ハウジングの内側に配置し、制御装置カバーをドア側に配置して取付け、暗証情報制御装置の機能を維持して合理的に取付けるようにしている。
請求項４の発明は、ハウジング内に共通の暗証情報制御装置を備え、該暗証情報制御装置の機構を基にハウジングの形状と押しボタンの形状および個数並びに間隔を採択可能にして、ハウジング表面の種々のデザインに暗証情報制御装置の機構を流用し得るようにしている。
【００１４】
請求項５の発明は、前記暗証情報制御装置に前記ロックピンを回動可能に支持し、該ロックピンの中間部に係合爪を突設し、ロックピンに回動機能を持たせ、かつこれを新規かつ簡潔に構成して、容易に製作し得るようにしている。
請求項６の発明は、前記制御装置カバ−とリセット板との間に記憶セット板を移動可能に配置し、該記憶セット板に前記係合爪と係合可能なドグを形成し、記憶セット板による暗証情報設定を実現し得るようにしている。
請求項７の発明は、前記記憶セット板とリセット板との間に記憶リセット板を移動可能に配置し、該記憶リセット板に前記係合爪と係合可能なドグを形成し、記憶リセット板による暗証情報解除ないし暗証情報の変更を実現し得るようにしている。
【００１５】
請求項８の発明は、前記ロックピンの係合爪を、前記記憶セット板と記憶リセット板とに亘って係合可能に配置し、前記係合爪を記憶セット板と記憶リセット板に共用してロックピンの構成を簡潔化し、部品点数を低減して安価に製作し得るようにしている。
請求項９の発明は、前記記憶セット板と記憶リセット板の端部を正逆回動可能な記憶変更カムに係合可能に連係し、該記憶変更カムの回動を介して、記憶セット板または記憶リセット板を反対方向へ移動可能に設け、記憶セット板または記憶リセット板の作動に記憶変更カムを共用し、構成の簡潔化と部品点数の低減を図るようにしている。
請求項１０の発明は、前記記憶変更カムを、ドアの内側に設けた正逆回動可能な回動体の回動変位に連係し、前記回動体の回動操作によって、ドアから取外すことなく、また工具の使用を要することなく、暗証情報設定または暗証情報解除ないし暗証情報の変更を容易かつ速やかに行えるようにしている。
【００１６】
請求項１１の発明は、暗証情報設定時、前記記憶セット板を移動可能に設け、前記ドグをロックピンの係合爪に係合し、該ロックピンを回動可能にして、暗証情報設定時に回動体を回動操作し、ドグをロックピンの係合爪に係合して該ロックピンを回動可能にし、暗証情報設定を容易かつ速やかに実現し得るようにしている。
請求項１２の発明は、暗証情報設定時または暗証情報解除時若しくは暗証情報変更時、前記ロックピンの回動位置を保持可能にし、暗証情報設定時または暗証情報解除時若しくは暗証情報変更を確実に行なうようにしている。
【００１７】
請求項１３の発明は、突起を形成した制御装置カバ−の内面にストップワッシャ−を回動可能に収容し、該ワッシャーにロックピンの端部を係入可能な角孔を形成し、前記ワッシャ−を前記制御装置カバーの内面に押圧可能に付勢するとともに、前記ワッシャーの裏面に前記突起と係合可能な十字状の係合溝を形成し、該ワッシャーをロックピンの回動に同動し、かつその回動位置を保持可能にし、簡単な構成によって暗証情報設定時または暗証情報解除時若しくは暗証情報変更時におけるロックピンの回動位置を保持し得るようにしている。
請求項１４の発明は、暗証情報設定時、前記押しボタンを介しロックピンを軸方向へ移動し、該ロックピンの暗証情報制御装置内の移動位置を保持し、該ロックピンの係合爪に前記ドグを係合して回動し、該回動位置を保持してロックピンを軸方向の原位置へ移動し、該ロックピンをプレートロック孔に係合可能に配置して施錠可能にし、暗証情報設定を容易かつ確実に行なえるようにしている。
【００１８】
請求項１５の発明は、前記暗証情報設定後、所定の押しボタンを介しロックピンを軸方向へ移動し、該ロックピンの暗証情報制御装置内の移動位置を保持し、該ロックピンとプレートロック孔との係合を解除可能に配置して解錠可能にし、解錠操作を容易かつ確実に行なえるようにしている。
請求項１６の発明は、前記暗証情報設定後、前記ロックピンとプレートロック孔との係合を解除可能に配置し、かつ前記ロック板をエンタ−ピンを介し駆動カムから後退させて解錠可能にし、エンターピンの操作によって、ロック板と駆動カムとの係合解除を確実に行なうようにしている。
請求項１７の発明は、前記暗証情報制御装置の下側にエンターピンを軸方向に移動可能に設け、該エンターピンをロック板の開口窓に配置し、該エンターピンにスライダを直交方向へ移動可能に取付け、該スライダを前記開口窓の口縁部に係合可能に配置し、解錠時にエンタ−ピンの軸方向変位をスライダの直交方向の変位、つまりロック板の移動方向に変換し、ロック板を同方向へ移動させて、ロック板と駆動カムとの係合を解除し、容易かつ確実に解錠するようにしている。
【００１９】
請求項１８の発明は、前記ロック板の下側にブレーキバネを介して緩衝板を移動可能に取付け、該緩衝板に前記スライダを係合可能に配置し、前記エンターピンを軸方向へ移動し、かつ前記スライダを直交方向へ移動させ、前記緩衝板を前記ブレーキバネに抗して移動可能にし、解錠時におけるエンターピンの軸力を緩衝板の変位に吸収させ、解錠時の押しボタンが適正に操作されなかった際、前記押しボタンのロックピンに対するロック板の係合力を軽減させ、ロックピンの折損ないし折曲を防止するとともに、ロックピンの強度負担を軽減して、ロックピンの材質強度の低下を図り、これを安価かつ容易に製作し得るとともに、押しボタンの悪戯や押し間違いによる故障を回避し得るようにしている。
請求項１９の発明は、前記設定した暗証情報の解除時、前記記憶リセット板を暗証情報設定時における記憶セット板の移動方向と反対方向に移動可能に設け、記憶リセット板のドグを暗証情報設定時における係合爪と反対側に係合し、該ロックピンを暗証番号設定時と反対方向へ回動可能にし、ドアから取り外すことなく、また工具の使用を要することなく、暗証情報の解除ないし変更を容易かつ確実に行なうようにしている。
【００２０】
請求項２０の発明は、前記既設暗証情報の解除後、前記回動体を暗証情報設定時と反対方向へ回動し、新たな暗証情報に対応する押しボタンを介しロックピンを軸方向へ移動し、該ロックピンの暗証情報制御装置内の移動位置を保持し、該ロックピンの係合爪に前記ドグを係合して回動し、該回動位置を保持してロックピンを軸方向の原位置へ移動し、該ロックピンをプレートロック孔に係合可能に配置し、暗証情報を変更可能にし、暗証情報の変更を容易かつ確実に行なうようにしている。
請求項２１の発明は、前記暗証情報制御装置にリセットピンを軸方向に移動可能に設け、該リセットピンをドアの内側に設けた切替摘みの回動変位に連係して回動可能に設けるとともに、リセットピンに係合片と突起を突設し、該係合片の端面と突起をロック板の開口部周縁に係合可能に設け、リセットピンの回動位置を介しロック板の作動を制御可能にし、切替摘みの回動操作によって、リセットピンの回動位置を容易かつ確実に行なうようにしている。
【００２１】
請求項２２の発明は、前記リセットピンの係合片の端面と突起を前記開口部内に位置付け、ロック板の作動変位を増量し、駆動カムの回動を確実に形成させて、閉扉によって自動的に施錠し、記憶設定した押しボタンを室外側から押圧操作して解錠する、自動施錠の使用に好適にしている。
請求項２３の発明は、前記リセットピンの突起を前記開口部の上側開口縁に形成した切欠溝に係合し、ロック板の作動変位を抑制可能にして、閉扉によって施錠されず、押しボタンを押圧操作することなく、内外のレバーハンドルの操作によって室内外から開扉する、空錠使用に好適にしている。
請求項２４の発明は、前記リセットピンの突起を前記開口部の下側開口縁に係合し、ロック板の作動変位を阻止可能にし、閉扉によって自動的に施錠され、室外側からシリンダ錠をキー操作して開扉する、デッドロック使用に好適にしている。
【００２２】
請求項２５の発明は、ドアの内側に切替座を配置し、該切替座に前記記憶変更ピンに連係する回動体と、前記リセットピンに連係する切替摘みとを設け、ドアの内側から回動体または切替摘みの操作によって、暗証情報の設定または解除若しくは変更操作と、錠前の種々の使用法、例えば自動施錠または空錠、デッドロック使用の切替え操作を容易に行なうようにしている。
請求項２６の発明は、前記回動体を暗証情報設定時または暗証情報解除に正逆方向に回動し、常時は中立位置に位置付け可能にして、回動体の操作を確実に行なうようにしている。
請求項２７の発明は、前記回動体をキーまたはサムターン、コインを介して回動可能にし、回動体を容易に操作し得るようにしている。
請求項２８の発明は、前記切替摘みを空錠若しくは自動施錠またはデッドロック位置に切替え可能にし、常時は自動施錠位置に位置付け可能にして、切替摘みの操作を確実に行なうようにしている。
【００２３】
請求項２９の発明は、前記切替座にカバーを開閉可能に設け、前記カバーの内側に前記回動体と切替摘みを配置し、前記回動体と切替摘みを防護するようにしている。
請求項３０の発明は、前記切替座にデッドロックボタンを押圧可能に設け、該デッドロックボタンを押圧変位に連係して切替摘みを回動可能に設け、該切替摘みの回動変位にリセットピンを連係し、該リセットピンの突起をロック板の開口部の下側開口縁に係合可能にし、デッドロックボタンの押圧操作によるデッドロック機能を実現可能にしている。
請求項３１の発明は、ドアの内側に前記切替座と、室内側のハンドル取付座を分離し離間して配置し、切替座と室内側のハンドル取付座とを簡潔に構成し、それらの小形軽量化を図るとともに、ドアの室内側の体裁を向上するようにしている。
【００２４】
請求項３２の発明は、前記ハウジング内の下部に、本締錠の角芯棒の回動機構に連係するシリンダ錠を設け、該シリンダ錠の解錠操作を介し前記デッドロック時に開扉可能にし、デッドロック使用時における保安を確保するようにしている。
請求項３３の発明は、前記ハウジングの内側に、押ボタン軸を出入り可能な複数の通孔を有するボタン押え板を配置し、該ボタン押え板の一側に複数の長孔を形成した探り防止板を近接して配置し、該探り防止板を下方へ移動可能に付勢する一方、前記探り防止板にエンタ−ボタンを挿入可能な通孔を設け、該通孔の口縁部にエンターボタンのテーパ部を係合可能に配置し、エンターボタンを操作してボタン押え板を移動し、その長孔によってボタン押え板の通孔の一部域または全域を遮蔽して、押ボタン軸の出入りを不可能にし、押しボタン操作によって暗証情報の有無を察知する不正操作を阻止するようにしている。
請求項３４の発明は、前記ロックピンをダイカスト成形し、ロックピンの強度負担の軽減に対応し、これを安価かつ容易に製作するようにしている。
【発明の効果】
【００２５】
請求項１の発明は、リセット板とロック板とを摺動かつ平行に収容可能な暗証情報制御装置を設け、該暗証情報制御装置を前記ハウジングに着脱可能に装着したから、暗証情報制御装置の機構とその構成部品を集約してカ−トリッジ状に構成することができ、暗証情報制御装置の機構を共有して種々の外装デザインに流用することができ、合理的な製作とデザインおよびメンテナンスの合理化を図り、量産化を促すことができる。
請求項２の発明は、前記暗証情報制御装置は、制御装置ケースと制御装置カバーとを密着固定して構成し、その内部に前記ロック板とリセット板とロックピンとを収容したから、暗証情報制御装置を堅牢に構成し、その内部に収容したロック板と、リセット板とロックピンとを確実かつ安全に防護することができる。
請求項３の発明は、前記制御装置ケ−スを前記ハウジングの内側に配置し、制御装置カバ−をドア側に配置して取付けたから、暗証情報制御装置の機能を維持して合理的に取付けることができる。
【００２６】
請求項４の発明は、ハウジング内に共通の暗証情報制御装置を備え、該暗証情報制御装置の機構を基にハウジングの形状と押しボタンの形状および個数並びに間隔を採択可能にしたから、ハウジング表面の種々のデザインに暗証情報制御装置の機構を流用することができる。
請求項５の発明は、前記暗証情報制御装置に前記ロックピンを回動可能に支持し、該ロックピンの中間部に係合爪を突設したから、ロックピンに回動機能を持たせ、かつこれを新規かつ簡潔に構成して、容易に製作することができる。
請求項６の発明は、前記制御装置カバーとリセット板との間に記憶セット板を移動可能に配置し、該記憶セット板に前記係合爪と係合可能なドグを形成したから、記憶セット板による暗証情報設定を実現することができる。
請求項７の発明は、前記記憶セット板とリセット板との間に記憶リセット板を移動可能に配置し、該記憶リセット板に前記係合爪と係合可能なドグを形成したから、記憶リセット板による暗証情報解除ないし暗証情報の変更を実現することができる。
【００２７】
請求項８の発明は、前記ロックピンの係合爪を、前記記憶セット板と記憶リセット板とに亘って係合可能に配置したから、前記係合爪を記憶セット板と記憶リセット板に共用してロックピンの構成を簡潔化し、部品点数を低減して安価に製作することができる。
請求項９の発明は、前記記憶セット板と記憶リセット板の端部を正逆回動可能な記憶変更カムに係合可能に連係し、該記憶変更カムの回動を介して、記憶セット板または記憶リセット板を反対方向へ移動可能に設けたから、記憶セット板または記憶リセット板の作動に記憶変更カムを共用し、構成の簡潔化と部品点数の低減を図ることができる。
請求項１０の発明は、前記記憶変更カムを、ドアの内側に設けた正逆回動可能な回動体の回動変位に連係したから、前記回動体の回動操作によって、ドアから取外すことなく、また工具の使用を要することなく、暗証情報設定または暗証情報解除ないし暗証情報の変更を容易かつ速やかに行なうことができる。
【００２８】
請求項１１の発明は、暗証情報設定時、前記記憶セット板を移動可能に設け、前記ドグをロックピンの係合爪に係合し、該ロックピンを回動可能にしたから、暗証情報設定時に回動体を回動操作し、ドグをロックピンの係合爪に係合して該ロックピンを回動可能にし、暗証情報設定を容易かつ速やかに実現することができる。
請求項１２の発明は、暗証情報設定時または暗証情報解除時若しくは暗証情報変更時、前記ロックピンの回動位置を保持可能にしたから、暗証情報設定時または暗証情報解除時若しくは暗証情報変更を確実に行なうことができる。
請求項１３の発明は、突起を形成した制御装置カバーの内面にストップワッシャーを回動可能に収容し、該ワッシャーにロックピンの端部を係入可能な角孔を形成し、前記ワッシャーを前記制御装置カバーの内面に押圧可能に付勢するとともに、前記ワッシャーの裏面に前記突起と係合可能な十字状の係合溝を形成し、該ワッシャーをロックピンの回動に同動し、かつその回動位置を保持可能にしたから、簡単な構成によって暗証情報設定時または暗証情報解除時若しくは暗証情報変更時におけるロックピンの回動位置を保持することができる。
【００２９】
請求項１４の発明は、暗証情報設定時、前記押しボタンを介しロックピンを軸方向へ移動し、該ロックピンの暗証情報制御装置内の移動位置を保持し、該ロックピンの係合爪に前記ドグを係合して回動し、該回動位置を保持してロックピンを軸方向の原位置へ移動し、該ロックピンをプレートロック孔に係合可能に配置して施錠可能にしたから、暗証情報設定を容易かつ確実に行なうことができる。
請求項１５の発明は、前記暗証情報設定後、所定の押しボタンを介しロックピンを軸方向へ移動し、該ロックピンの暗証情報制御装置内の移動位置を保持し、該ロックピンとプレートロック孔との係合を解除可能に配置して解錠可能にしたから、解錠操作を容易かつ確実に行なうことができる。
請求項１６の発明は、前記暗証情報設定後、前記ロックピンとプレートロック孔との係合を解除可能に配置し、かつ前記ロック板をエンターピンを介し駆動カムから後退させて解錠可能にしたから、エンターピンの操作によって、ロック板と駆動カムとの係合解除を確実に行なうことができる。
【００３０】
請求項１７の発明は、前記暗証情報制御装置の下側にエンターピンを軸方向に移動可能に設け、該エンターピンをロック板の開口窓に配置し、該エンターピンにスライダを直交方向へ移動可能に取付け、該スライダを前記開口窓の口縁部に係合可能に配置したから、解錠時にエンターピンの軸方向変位をスライダの直交方向の変位、つまりロック板の移動方向に変換し、ロック板を同方向へ移動させて、ロック板と駆動カムとの係合を解除し、容易かつ確実に解錠することができる。
【００３１】
請求項１８の発明は、前記ロック板の下側にブレーキバネを介して緩衝板を移動可能に取付け、該緩衝板に前記スライダを係合可能に配置し、前記エンターピンを軸方向へ移動し、かつ前記スライダを直交方向へ移動させ、前記緩衝板を前記ブレ−キバネに抗して移動可能にしたから、解錠時におけるエンターピンの軸力を緩衝板の変位に吸収させ、解錠時の押しボタンが適正に操作されなかった際、前記押しボタンのロックピンに対するロック板の係合力を軽減させ、ロックピンの折損ないし折曲を防止するとともに、ロックピンの強度負担を軽減して、ロックピンの材質強度の低下を図り、これを安価かつ容易に製作することができるとともに、押しボタンの悪戯や押し間違いによる故障を回避することができる。
請求項１９の発明は、前記設定した暗証情報の解除時、前記記憶リセット板を暗証情報設定時における記憶セット板の移動方向と反対方向に移動可能に設け、記憶リセット板のドグを暗証情報設定時における係合爪と反対側に係合し、該ロックピンを暗証番号設定時と反対方向へ回動可能にしたから、ドアから取外すことなく、また工具の使用を要することなく、暗証情報の解除ないし変更を容易かつ確実に行なうことができる。
【００３２】
請求項２０の発明は、前記既設暗証情報の解除後、前記回動体を暗証情報設定時と反対方向へ回動し、新たな暗証情報に対応する押しボタンを介しロックピンを軸方向へ移動し、該ロックピンの暗証情報制御装置内の移動位置を保持し、該ロックピンの係合爪に前記ドグを係合して回動し、該回動位置を保持してロックピンを軸方向の原位置へ移動し、該ロックピンをプレ−トロック孔に係合可能に配置し、暗証情報を変更可能にしたから、暗証情報の変更を容易かつ確実に行なうことができる。
請求項２１の発明は、前記暗証情報制御装置にリセットピンを軸方向に移動可能に設け、該リセットピンをドアの内側に設けた切替摘みの回動変位に連係して回動可能に設けるとともに、リセットピンに係合片と突起を突設し、該係合片の端面と突起をロック板の開口部周縁に係合可能に設け、リセットピンの回動位置を介しロック板の作動を制御可能にしたから、切替摘みの回動操作によって、リセットピンの回動位置を容易かつ確実に行なうことができる。
【００３３】
請求項２２の発明は、前記リセットピンの係合片の端面と突起を前記開口部内に位置付け、ロック板の作動変位を増量したから、駆動カムの回動を確実に形成させて、閉扉によって自動的に施錠し、記憶設定した押しボタンを室外側から押圧操作して解錠する、自動施錠の使用に好適な効果がある。
請求項２３の発明は、前記リセットピンの突起を前記開口部の上側開口縁に形成した切欠溝に係合し、ロック板の作動変位を抑制可能にしたから、閉扉によって施錠されず、押しボタンを押圧操作することなく、内外のレバーハンドルの操作によって室内外から開扉する、空錠使用に好適な効果がある。
請求項２４の発明は、前記リセットピンの突起を前記開口部の下側開口縁に係合し、ロック板の作動変位を阻止可能にしたから、閉扉によって自動的に施錠され、室外側からシリンダ錠をキー操作して開扉する、デッドロック使用に好適な効果がある。
【００３４】
請求項２５の発明は、ドアの内側に切替座を配置し、該切替座に前記記憶変更ピンに連係する回動体と、前記リセットピンに連係する切替摘みとを設けたから、ドアの内側から回動体または切替摘みの操作によって、暗証情報の設定または解除若しくは変更操作と、錠前の種々の使用法、例えば自動施錠または空錠、デッドロック使用の切替え操作を容易に行なうことができる。
請求項２６の発明は、前記回動体を暗証情報設定時または暗証情報解除に正逆方向に回動し、常時は中立位置に位置付け可能にしたから、回動体の操作を確実に行なうことができる。
請求項２７の発明は、前記回動体をキーまたはサムターン、コインを介して回動可能にしたから、回動体を容易に操作することができる。
【００３５】
請求項２８の発明は、前記切替摘みを空錠若しくは自動施錠またはデッドロック位置に切替え可能にし、常時は自動施錠位置に位置付け可能にしたから、切替摘みの操作を確実に行なうことができる。
請求項２９の発明は、前記切替座にカバーを開閉可能に設け、前記カバーの内側に前記回動体と切替摘みを配置したから、前記回動体と切替摘みを防護することができる。
請求項３０の発明は、前記切替座にデッドロックボタンを押圧可能に設け、該デッドロックボタンを押圧変位に連係して切替摘みを回動可能に設け、該切替摘みの回動変位にリセットピンを連係し、該リセットピンの突起をロック板の開口部の下側開口縁に係合可能にしたから、デッドロックボタンの押圧操作によるデッドロック機能を実現することができる。
請求項３１の発明は、ドアの内側に前記切替座と、室内側のハンドル取付座を分離し離間して配置したから、切替座と室内側のハンドル取付座とを簡潔に構成し、それらの小形軽量化を図れるとともに、ドアの室内側の体裁を向上することができる。
【００３６】
請求項３２の発明は、前記ハウジング内の下部に、本締錠の角芯棒の回動機構に連係するシリンダ錠を設け、該シリンダ錠の解錠操作を介し前記デッドロック時に開扉可能にしたから、デッドロック使用時における保安を確保することができる。
請求項３３の発明は、前記ハウジングの内側に、押ボタン軸を出入り可能な複数の通孔を有するボタン押え板を配置し、該ボタン押え板の一側に複数の長孔を形成した探り防止板を近接して配置し、該探り防止板を下方へ移動可能に付勢する一方、前記探り防止板にエンタ−ボタンを挿入可能な通孔を設け、該通孔の口縁部にエンターボタンのテーパ部を係合可能に配置したから、エンターボタンを操作してボタン押え板を移動し、その長孔によってボタン押え板の通孔の一部域または全域を遮蔽して、押ボタン軸の出入りを不可能にし、押しボタン操作によって暗証情報の有無を察知する不正操作を阻止することができる。
請求項３４の発明は、前記ロックピンをダイカスト成形したから、ロックピンの強度負担の軽減に対応し、これを安価かつ容易に製作することができる。
【図面の簡単な説明】
【００３７】
【図１】本発明の使用状態を示す斜視図で、ドアの外側に取付けた室外座の使用状況を示している。
【図２】図１の側面図である。
【図３】図１の正面図である。
【図４】本発明の使用状態を示す斜視図で、ドアの内側に取付けた切替座とハンドル取付座の使用状況を示している。
【図５】図１のＡ−Ａ線に沿う拡大断面図である。
【図６】本発明に適用した室外座と暗証情報制御装置を分離して示す断面図である。
【図７】本発明に適用した室外座と、切替座とハンドル取付座とを分解して示す斜視図である。
【００３８】
【図８】本発明に適用した切替座とハンドル取付座と、および室外座と暗証情報制御装置とを分離して示す斜視図である。
【図９】本発明に適用した切替座を分解して示す斜視図である。
【図１０】本発明に適用したハンドル取付座を分解して示す斜視図である。
【図１１】本発明に適用した室外座の背面図で、裏側のカバーを取外して示している
【図１２】本発明に適用した室外座の裏側の状況を分解して示す斜視図である。
【図１３】本発明に適用した室外座と、暗証情報制御装置を分解して示す斜視図である。
【００３９】
【図１４】本発明に適用した暗証情報制御装置における制御装置カバーの一例を示す背面図である。
【図１５】本発明の暗証情報制御装置に適用した記憶セット板の一例を示す背面図である。
【図１６】本発明に適用した暗証情報制御装置における記憶変更中板の一例を示す背面図である。
【図１７】本発明に適用した暗証情報制御装置における記憶リセット板の一例を示す背面図である。
【００４０】
【図１８】本発明に適用した暗証情報制御装置におけるリセット板の一例を示す背面図である。
【図１９】本発明の暗証情報制御装置に適用したロック板の一例を示し、同図（ａ）はその背面図で、駆動カムとの組み付け状況を示し、同図（ｂ）は緩衝板を分解して示す背面図である。
【図２０】本発明に適用した暗証情報制御装置におけるリセット板の一例を示す背面図である。
【図２１】本発明に適用した暗証情報制御装置におけるロックピンの一例を示す斜視図で、ロックスプリングとストップワッシャ−との関係を示している。
【図２２】図２１のＢ−Ｂ線に沿う断面図である。
【００４１】
【図２３】本発明に適用した暗証情報制御装置におけるリセットピンの一例を示す斜視図である。
【図２４】図２３の正面図である。
【図２５】本発明に適用した暗証情報制御装置におけるリセットピンとロック板の作動状況を示し、同図（ａ）は自動施錠時の使用状況を示し、同図（ｂ）は空錠時の使用状況を示し、同図（ｃ）はデッドロックの使用状況を示している。
【図２６】本発明に適用した暗証情報制御装置におけるエンターピンと、ロック板とエンタ−ボタンと制御装置ケ−スとの組み付け状況を示す拡大断面図である。
【００４２】
【図２７】本発明に適用した暗証情報制御装置の組み付け状況の要部を示す平面図で、自動施錠時における暗証情報設定前の状況を示している。
【図２８】図２７のＣ−Ｃ線に沿う断面図である。
【図２９】図２７のＣ−Ｃ線に沿う断面図で、暗証情報設定時の状況を示している。
【図３０】図２７のＤ−Ｄ線に沿う断面図である。
【図３１】図２７のＤ−Ｄ線に沿う断面図で、暗証情報設定時の状況を示している。
【００４３】
【図３２】本発明に適用した暗証情報制御装置のロックピンと記憶セット板と記憶リセット板の組み付け状況を示す平面図で、暗証情報設定前の状況を示している。
【図３３】本発明に適用した暗証情報制御装置の暗証情報設定時の状況の要部を示す平面図である。
【図３４】本発明に適用した暗証情報制御装置の暗証情報設定時の手順を示す説明図で、同図（ａ）は暗証情報制御装置の組み立て直後の状況を示し、同図（ｂ）は押しボタンを押圧し、その押圧位置を保持している状況を示し、同図（ｃ）はドア内側の切替座のシリンダを暗証情報設定位置（セット）に回動後の状況を示し、同図（ｄ）は前記シリンダをセット位置に回動後、リセット操作した後の状況を示している。
【００４４】
【図３５】本発明に適用した暗証情報制御装置の暗証情報設定後の解錠操作手順を示す説明図で、同図（ａ）はリセット操作後の状況を示し、同図（ｂ）は暗証情報設定した押しボタンを押圧し、その押圧位置を保持して解錠する状況を示している。
【図３６】本発明に適用した暗証情報制御装置の暗証情報解除時の状況の要部を示す平面図である。
【図３７】本発明の他の実施形態を示し、ハウジングの表装デザインの変更例を示す正面図である。
【図３８】本発明の別の実施形態を示し、ハウジングの表装デザインの別の変更例を示す正面図である。
【発明を実施するための形態】
【００４５】
以下、本発明を図示の実施形態について説明すると、図１乃至図３６において１は蝶番を介して枠体（共に図示略）に一端を回動可能に連結したドアで、その他側端部の中高位置にメカロック錠であるボタン錠２を設置している。
前記ボタン錠２はドア１の外面に各種の操作ボタンを備えた室外座３を配置し、ドア１の内面に暗証情報を設定および変更し、かつボタン錠２の機能を設定および解除する切替座４と、ハンドル取付座５とを上下に配置し、室外座３とハンドル取付座５の下端部にレバーハンドル６，７を回動可能に突設している。
【００４６】
前記ドア１の中高位置内部に本締錠８が埋設され、そのデッドボルト９がボタン錠２の施解錠操作に連動して、ドア１の他側端部から出没可能に設けられている。
１０はデッドボルト９の直下に出没可能に設けたラッチトリガ−で、デッドボルト９の突出作動を形成可能にしている。
図中、１１，１２，１３，１４はドア１の中高位置に形成したパイプ挿通孔で、室外座３の裏面に突設した後述の連結パイプを挿入可能にされている。
１５，１６はパイプ挿通孔１１の直下に形成した貫通孔、１７はレバーハンドル６，７と同軸上に形成した角芯棒挿通孔である。
【００４７】
前記室外座３は外周を形成し内部機構を保護するハウジング１８を有し、該ハウジング１８は亜鉛合金ダイカストによって縦長矩形の箱形に成形され、その前面は突状に湾曲する緩やかな曲面状に形成され、その前面上部に大径のリセットボタン１９と、該ボタン１９より若干小径の複数の押しボタン２０が押圧可能に設けられ、その下側にエンターボタン２１が押圧可能に設けられ、該ボタン２１の直下にレバーハンドル６の軸部が回動可能に取付けられている。
【００４８】
実施形態の押しボタン２０は、押圧面に１〜０数字を表示した１０個の押しボタン２０と、Ａ〜Ｅのアルファベット文字を押圧面に表示した５個の押しボタン２０とからなり、数字を表示した押しボタン２０を５個ずつ左右二列に配置し、それらの間にアルファベット文字を表示した押しボタン２０を一列配置し、これら１５個の押しボタン２０によって、２１５通り、すなわち３２７６８通りの暗証情報（番号）を設定可能にしている。
この場合、前記押しボタン２０は実質的に同一に構成されているから、前記表示を二種類に分けずに全てアルファベット文字または平仮名若しくは片仮名、ローマ数字等の一種類の表示で統一することも可能である。
【００４９】
前記ハウジング１８の前面の上半部に、リセットボタン挿通孔２２と楕円形の複数の押しボタン挿通孔２３とが設けられ、これらの開口縁部にカップ状のリセットボタン１９と、押しボタン２０のフランジ部が掛け止められている。
このうち、リセットボタン１９は内部にリセットボタン軸２４のフランジ２４ａが収容され、押しボタン２０はカップ状部とボタン軸２５とが一体に成形され、カップ状部の内側からボタン軸２５が突出している。
【００５０】
前記リセットボタン軸２４は図１２のように略半円柱状に形成され、その両側周面に凸部２６が突設され、その軸端面に後述するリセットピンの突起に係合可能な凹溝２７が形成されている。
前記リセットボタン１９の内側にリセットボタンバネ２８が収容され、該バネ２８の一端が後述するボタン押え板に着座して押し縮められ、その弾性を介してリセットボタン１９を外側へ突出している。
【００５１】
前記押しボタン２０は図３のように略小判形に形成され、その長軸側を斜めに傾けて配置され、その押圧面を凸状曲面に形成し、該凸状曲面に前記ボタン表示を凹状に形成している。
前記押しボタン２０内部にボタン軸２５が一体に成形され、その先端が外側に突出して配置され、後述するロックピンの頭部と係合可能に配置されている。
前記押しボタン軸２５に押しボタンバネ２９が挿入され、該バネ２９の一端は後述するボタン押え板に着座して押し縮められ、その弾性を介して押しボタン２０を外側へ突出している。
【００５２】
前記エンターボタン２１は円柱状に形成され、その内側端部にフランジ２１ａが形成され、該フランジ２１ａの後端面中央に、後述のエンタ−ピンに係合可能な角軸状のドグ３０が突設され、該ドグ３０の先端部にテーパ部３０ａが形成されている。
前記エンターボタン２１は、ハウジング８の下側に設けたエンタ−ボタン挿通孔３１に挿入され、その後端面３１ａに前記フランジ２１ａを掛け止めている。
【００５３】
前記ドグ３０の両側に凹孔３２が形成され、該凹孔３２にエンターボタンバネ３３が収容され、該バネ３３の一端が後述するボタン押え板に着座して押し縮められ、その弾性を介してエンターボタン２１を外側へ突出している。
【００５４】
前記室外座３の内部にビス３４を介して鋼板製のボタン押え板３５が固定され、該押え板３５は縦長矩形に形成され、その上端部に前記リセットボタン軸２４と係合可能な、凸部３６ａを有する係合孔３６が形成されている。
前記ボタン押え板３５の下端部に、前記ドグ３０を出没可能な矩形の角孔３７が形成され、該角孔３７と係合孔３６の間に、前記ボタン軸２５を出入り可能な複数の通孔３８が縦横に整列して形成されている。
【００５５】
図中、３９はビス３４を挿入可能なビス孔、４０はボタン押え板３５の位置決め用の角孔で、室外座３の内側底部に設けた突起４１に係合可能に形成され、４２は室外座３の内側底部に設けたネジ孔で、ビス３４をねじ込み可能にしている。
【００５６】
前記ボタン押え板３５の内側に鋼板製の探り防止板４３が重合して配置され、該探り防止板４３は前記ボタン押え板３５より若干幅狭の略縦長矩形に形成され、その上端を外側に屈曲し、該屈曲片４４を前記内側底部の突端部４５に掛け止めている。
前記突端部４５と対向する室外座３の内側底部に、凹状のバネ受４６，４６が設けられ、該バネ受４６と屈曲片４４との間にスプリング４７が介挿され、該スプリング４７の弾性を介して探り防止板４３を下方へ付勢している。
【００５７】
前記探り防止板４３の上端部に、前記リセットボタン軸２４と係合可能な凸部４５ａを有する略半円形の係合孔４８が形成され、下端部に前記ドグ３０を出没可能な矩形の角孔４９が形成され、該角孔４９はドグ３０のテーパ３０ａと係合可能に配置されている。  
図中、５０は探り防止板４３に形成された複数の長孔で、前記ボタン軸２５を挿入可能に配置され、５１は探り防止板４３の位置決め用の角孔で、前記突起４１に係合可能に形成されている。
【００５８】
そして、エンターボタン２１の押圧時、前記ドグ３０のテーパ３０ａを角孔４９に係合し、バネ４７に抗して探り防止板４３を押し上げ、これに長孔５０を同動させて、ボタン押え板３５の各通孔３８の一部域または全域を閉塞し、押しボタン２０の押圧ないしボタン軸の移動を阻止して、後述のロックピンに対する暗証情報入力の有無を察知する不法操作を阻止可能にしている。
【００５９】
前記ハウジング１８の下側に軸穴５２が形成され、該軸穴５２にスリーブ５３を介してレバ−ハンドル６の軸部が回動可能に取付けられている。
すなわち、軸穴５２の内外にレバーハンドル６の軸部とスタッド５４を配置し、該スタッド５４の角軸周面に座金５５と止輪５６を装着し、スタッド５４の内側からレバーハンドル６の軸部にボルト５７をねじ込んで緊締し、レバーハンドル６とスタッド５４とを同動可能に連結している。
【００６０】
前記スタッド５４の角軸部に駆動カム５８が同動可能に嵌合し、該駆動カム５８は平坦なカム面を有し、該カム面の一側中央に矩形の凸部５８ａを突設し、該凸部５８ａをロック板の一方の屈曲片の切欠部に係合可能に配置している。
そして、前記ロック板を押し上げ、前記凸部５８ａと切欠部との係合を解除し、捩りバネ（図示略）の弾性に抗して駆動カム５８を回動可能にしている。
【００６１】
前記スタッド５４の端部に角穴５９が形成され、該角穴５８にジョイント６０の角軸部６０ａが嵌合し、該ジョイント６０の外側の円筒部に略扇形のギヤ６１が回動自在に支持されている。
前記ジョイント６０とギヤ６１の内側に、本締錠８に連係する角芯棒６２が回動可能に挿入され、該角芯棒６２に二つのピン６３，６４が差し込まれている。
このうち、一方のピン６４は、ギヤ６１の内側に形成した一対の扇形の溝（図示略）に係合可能に配置されて、該ギヤ６１の回動角度を規制し、他方のピン６３は、ジョイント６０の内側に形成した一対の扇形の溝（図示略）に係合可能に配置されている。
【００６２】
図中、６２ａは角芯棒５９に形成した係止段部、６５はハウジング１８の内側下部に取付けたプレートカバーで、中間部に通孔６６が形成され、該通孔６６からギヤ６１のボス６１ａが回動可能に突出している。
６７はレバーハンドル６の軸部に埋設した係合球で、バネ６８を介してシート６９に係合可能に付勢され、レバーハンドル６の過負荷をリリース可能にしている。
【００６３】
前記ハウジング１８の下端部に、後述するデッドロック機能時の解錠手段として、シリンダ錠７０が下向きに取付けられ、該シリンダ錠７０はキー７１によって回動可能なシリンダー７２を備え、該シリンダー７２の軸端に角軸部７３を配置している。
前記角軸部７３は回動軸７４の角孔７５に係合して配置され、該角軸部７３の回動力を回動軸７４に伝達可能にしている。
前記回動軸７４の内側にベベルギヤ７６の軸部が固定され、該ベベルギヤ７６がハウジング１８と一体のブラケット７７に回動可能に支持されている。
【００６４】
前記ベベルギヤ７６にベベルギヤ７８が噛合して配置され、その支軸７９がハウジング１８の凹孔８０に回動可能に支持され、前記ベベルギヤ７８が前記ギヤ６１に噛合している。
図中、８１はシリンダ錠７０の上下に配置した取付カバー、８２、８３はハウジング１８の裏面の上下端部に突設した連結パイプで、内部に雌ネジが形成されている。
【００６５】
前記切替座４は前記連結パイプ８２と、後述するカ−トリッジに突設した連結パイプ８４を介して、ドア１の内面に取付けられ、これは略箱形の合成樹脂製の切替座本体８５と、該切替座本体８５の外面の一部を表出可能な合成樹脂製のカバ−８６とで構成されている。
前記切替座本体８５の奥部に矩形の底板８７が設けられ、該底板８７の一側面の上部にストッパ受８８が一体成形され、該ストッパ受８８の円周方向の等角度位置に３つのシート面８９が形成され、その左右のシ−ト面８９に臨ませて突起９０，９０を突設している
【００６６】
前記ストッパ受８８の中央に通孔９１が形成され、該通孔９１を介して連係軸９２が前記貫通孔１５に回動可能に挿入されている。
前記連係軸９２は内部に角孔９２ａが形成され、該角孔９２ａに後述する角軸状の記憶変更ピンが係合して挿入され、その一端に角軸部９３が形成され、該角軸部９３にストッパ９４の角穴９５が嵌合している。
前記ストッパ９４に舌片９６が形成され、該舌片９６を前記シート面８９に着座させ、連係軸９２を所定位置に位置付けるとともに、これを前記突起９０，９０に当接させて、連係軸９２の回動角度を規制可能にしている。
【００６７】
一方、前記切替座本体８５の端面に張出部８５ａが突設され、該張出部８５ａの中央に大径の通孔９７と凹孔９８が上下位置に形成され、該凹孔９８の中央に透孔９９が形成されている。
前記通孔９７に回動体としてシリンダ錠１００が挿入され、その周面のネジ部にナット１０１をねじ込んで、シリンダ錠１００を張出部８５ａに固定している。
前記シリンダ錠１００の内部に、キー１０２を差し込んで回動可能なシリンダ１０３が設けられ、該シリンダ１０３の端部に角軸部１０４が形成され、該角軸部１０４を角軸部９３に形成した角孔１０５に係合し、シリンダ１０３の回動力を連係軸９２に伝達可能にしている。
【００６８】
前記ストッパ９４とシリンダ錠１００との間にスプリング１０６が介挿され、該スプリング１０６の弾性を介して、連係軸９２をドア１側へ付勢し、後述する記憶変更軸との係合を保持可能にしている。
そして、暗証情報を設定する場合は、リセットボタン１９を押圧し、所望の暗証情報を基に押しボタン２０を押圧後、シリンダ錠１００にキ−１０２を差込み、中立位置からセット（ＳＥＴ）方向へ９０°回動して実行可能にしている。
【００６９】
一方、設定した暗証情報を解除若しくは変更する場合は、リセットボタン１９を押圧し、シリンダ錠１００にキー１０２を差し込み、中立位置からリセット（ＲＥＳＥＴ）方向へ９０°回動して実行可能にしている。
すなわち、前記シリンダ錠１００は常時は中立位置に置かれ、暗証情報設定時は中立位置からセット方向へ回動し、暗証情報解除ないし変更定時は中立位置からリセット方向へ回動し、回動後は何れも中立位置へ戻してキー１０２を抜き取り可能にしている。
【００７０】
なお、この実施形態では連係軸９２に対する回動力付与手段として、シリンダ錠１００を用い、キー１０２の保持者に暗証情報の設定や変更操作を許容しているが、シリンダ錠１００の代わりに、サムターンや、工具若しくはコインを係合して回動する回動体を連係軸９２に連係し、連係軸９２を回動させるようにしても良い。
【００７１】
前記透孔９９に空錠切替摘み１０７と一体の切替軸１０８が挿入され、該切替軸１０８が底板８７に形成した通孔１０９を介して、前記貫通孔１６に回動可能に挿入されている
前記切替軸１０８の内部に角孔１１０が形成され、該角孔１１０に後述する角軸状のリセットピンが係合可能に挿入されている。
前記切替軸１０８の基部に角軸部１０８ａが形成され、該角軸部１０８ａにストッパ１１１の角穴１１２が嵌合し、その舌片１１３が凹孔９８の裏面に設けた凸部（図示略）に係合可能に配置され、切替軸１０８の回動角度を規制している。
【００７２】
前記空錠切替摘み１０７は、押しボタン２０の暗証情報入力による施解錠を解除し、ドアハンドル６，７による開扉に切り替える際に操作され、その操作の実際は、リセットボタン１９を押して暗証情報を入力後、エンタ−ボタン２１を押してドアハンドル７を押し下げ、つまり解錠操作し、この状態を保持したままカバ−８６を開け、空錠切替摘み１０７を空錠切替側、つまりＦｒｅｅ方向へ回動することによって実行可能にしている。
【００７３】
図中、１１４は切替軸１０８の周面に取付けた止め輪、１１５は座金、１１６は座金１１５とストッパ１１１との間に介挿したバネで、その弾性を介して切替軸１０８をドア１側へ付勢している。
【００７４】
前記張出部８５ａの上端部にビス１１７を挿入可能なビス孔１１８，１１８が形成され、該ビス孔１１８の間に突起１１９が突設され、該突起１１９にコ字形断面のヒンジケース１２０が嵌合している。
前記ヒンジケ−ス１２０は、カバー８６の上端部の枢支部に形成した切欠部１２１に配置され、該切欠部１２１に臨む端面に略Ｖ字形の尖端部を有する枢軸１２２，１２２が突設されている。
【００７５】
前記枢軸１２２，１２２の尖端部に、ヒンジカム１２３の端面に設けた略Ｖ字形の係合溝が嵌合し、該カム１２３，１２３の間にバネ１２４を介挿して、前記尖端部と係合溝との嵌合を保持させている。
前記ヒンジカム１２３はヒンジケース１２０の内面に係合可能な角軸状に形成され、前記ヒンジカム１２３を介し枢軸１２２，１２２を中心にカバー８６を上下に回動可能に連結し、かつその開閉状態を保持可能にしている。
【００７６】
前記底板８７の下部に周囲をリブ１２５ａで区画した略鍵穴形の段部１２５が突設され、また切替座本体８５の下部に通孔１２６が形成され、該通孔１２６に切替座本体８５の内側からデッドロックボタン１２７が挿入されている。
前記デッドロックボタン１２７の後縁部にフランジ１２７ａが形成され、該フランジ１２７ａに切替板１２８の下部が重合して配置されている。前記切替板１２８は細長矩形の鋼板で形成され、その一端に脚１２９が折曲形成され、他端部を前記舌片１１３の内側に係合可能に配置している。
【００７７】
前記切替板１２８の中間部に一対の板状のバネ受１３０が屈曲形成され、該バネ受１３０の内側の段部１２５と、切替板１２８との間にスプリング１３１が配置され、該スプリング１３１の弾性を介して、切替板１２８をデッドロックボタン１２７側へ付勢している
前記デッドロックボタン１２７は常時はドア１の外側へ付勢され、その押圧時は脚１２９を段部１２５上に着座させ、切替板１２８のてこ作用によって他端部の変位を拡大させ、舌片１１３を介しストッパ１１１を同動させて、ストッパ１１１を回動可能にし、空錠切替摘み１０７をデッドロック位置側へ回動可能にしている。
図中、１３２は切替座本体８５の下部に形成したビス孔で、ビス１３３を挿入可能にしている。
【００７８】
前記ハンドル取付座５は、亜鉛合金ダイカストによって略箱形に成形され、その内側の凹状面中央に貫通孔１３４が形成され、該孔１３４にレバーハンドル７の軸端の角軸部７ａが挿入されている。前記角軸部７ａの端部に軸孔が形成され、該軸孔の内面に複数の係合歯１３５が形成され、該係合歯１３５に角芯棒６２の角部を係合可能にしている。
前記貫通孔１３４に挿入した角軸部７ａに、ハンドル取付座５の内側から座金１３６と止め輪１３７が取付けられ、角軸部７ａを抜け止めしている。
【００７９】
前記ハンドル取付座５の内側の段部５ａに、ビス１３８を介して裏板１３９が取付けられ、該裏板１３９の中央に通孔１４０が形成され、該通孔１４０にバネ受け１４１のボス１４２が挿入されている。前記ボス１４２の軸孔の内面に複数の係合歯１４３が形成され、該係合歯１４３に角芯棒６２の角部を係合可能にしている。
【００８０】
前記裏板１３９とバネ受け１４１の対向面に、大小異径のバネ掛け１４４，１４５が突設され、前記バネ掛け１４５の外周にストッパ（図示略）が突設され、該ストッパをバネ掛け１４４，１４４に係合可能に配置し、バネ受け１４１ないしレバーハンドル６，７の回動角度を規制している。
前記バネ掛け１４４，１４５に捩りバネ１４６の両端が掛け止められ、該捩りバネ１４６の弾性を介して、角芯棒６２ないしレバーハンドル６，７を原位置へ復帰回動可能にしている。
図中、１４７はハンドル取付座５に形成したビス孔で、これらにビス１４８を挿入して連結パイプ８３，１７５にねじ込み、ハンドル取付座５をドア１に取付けている。
【００８１】
前記室外座３とドア１との間に暗証情報制御装置１４９が配置され、該暗証情報制御装置１４９は堅牢なカートリッジ状に構成され、室外座３に着脱かつ交換可能に取付けられている。
前記暗証情報制御装置１４９は、押しボタン入力による暗証情報を設定かつ記憶し、更に解除若しくは変更可能に構成され、これは室外座３より小形の縦長矩形のブロック状に形成されていて、板状の複数の構成部品を積層配置して構成されている。
【００８２】
すなわち、暗証情報制御装置１４９は、ドア１側に配置する制御装置カバー１５０と、該カバー１５０の外側、つまり室外座３側に配置する記憶セット板１５１と、該記憶セット板１５１の外側に配置する記憶変更中板１５２と、該記憶変更中板１５２の外側に配置する記憶リセット板１５３と、該記憶リセット板１５３の外側に配置するリセット板１５４と、該リセット板１５４の外側に配置するロック板１５５と、該ロック板１５５の外側に配置され、かつ前記探り防止板４３に隣接する制御装置ケース１５６と、を積層配置して構成されている。
【００８３】
前記暗証情報制御装置１４９は、ビス１５７を制御装置カバー１５０のビス孔１５８に挿入し、これを制御装置ケース１５６のネジ孔１５９にねじ込んで、前記各構成部品１５０〜１５６を組み付け後、ビス１６０を制御装置ケース１５６のビス孔１６１に挿入し、これを室外座３の内側のネジ孔１６２にねじ込んで、暗証情報制御装置１４９を室外座３の内側に着脱可能に取付けている。
【００８４】
前記制御装置カバー１５０は、亜鉛合金ダイカストによって縦長矩形板状に成形され、その上部に記憶変更ピン１６３を挿入可能な段付孔１６４と、空錠切替用のリセットピン１６５を挿入可能な段付孔１６６とが上下位置に形成され、中間部に段付孔状の複数のワッシャー受け孔１６７が形成され、下端部にエンターピン１６８を挿入可能な段付きの通孔１６９が形成されている。
【００８５】
前記ワッシャー受け孔１６７の底部に小径の通孔１７２が形成され、該通孔１７２の内側開口部に一対の突起１７３が形成され、また前記ワッシャー受け孔１６７に皿状のストップワッシャ１７４が回動可能に収容されている。図中、１７０は通孔１７２の外側開口部周辺に設けた暗証情報表示で、前記押しボタン２０の表示に対応して設けられ、１７１は補強ビ−ドである。
【００８６】
前記ストップワッシャ１７４は、中央に後述するロックピンの角軸部と係合可能な角孔１７４ａが形成され、その裏面に前記突起１７３と係合可能な十字状の係合溝１７４ｂが形成され、ロックピンの９０°回動位置を保持可能にされている。
図中、１７５は前記プレートカバー１７０の中間部と制御装置カバー１５０の下端部に突設した連結管で、内面に雌ネジ部が形成されている。
【００８７】
前記制御装置カバー１５０の内面の上部と下端部に位置決め用の凸部１７６，１７７が突設され、前記制御装置ケース１５６の内周壁に係合可能にされている。
前記凸部１７７の中央に前記通孔１６９を形成した矩形の段部１７８が突設され、該段部１７８の外側に凹溝１７９，１８０が形成され、これらに後述のリセットピンアセンブリが取付けられている。
図中、２２１は制御装置カバー１５０の上下端部に形成した位置決め用のピン孔である
【００８８】
前記記憶セット板１５１はステンレス鋼板をプレス成形して縦長矩形に形成され、これを前記制御装置カバー１５０の内面に上下に摺動可能に配置していて、その上部に前記凸部１７６に係脱可能な切欠１８１が形成され、該切欠１８１の長さに前記摺動変位を規制している。
【００８９】
前記記憶セット板１５１の上端部に屈曲片１８２が形成され、該屈曲片１８２の外面と制御装置ケース１５６の上部内面との間にバネ１９０が介挿され、該バネ１９０の弾性を介して記憶セット板１５１を下方へ移動可能に付勢している。
また、前記屈曲片１８２の内側に後述する記憶変更カムが回動可能に配置され、該記憶変更カムを屈曲片１８２に係合し、記憶セット板１５１を上下動可能にしている。
【００９０】
前記記憶セット板１５１の上部に、記憶変更ピン１６３とリセットピン１６５を挿入可能な開口部１８３，１８４が形成され、下半部に縦長矩形のスライド溝１８５が左右に３列に形成され、各スライド溝１８５の一側に略Ｌ字形状の複数のドグ１８６が形成され、該ドグ１８６を後述するロックピンの係合爪の一側に係合可能に配置している。
【００９１】
前記記憶変更中板１５２は、耐食性鋼板を縦長矩形の枠状にプレス成形し、これを記憶セット板１５１の内面に隣接し固定して配置している。前記記憶変更中板１５２の上部に、前記凸部１７６に緊密に係合可能な切欠１８７が形成され、その中央にリセットピン１６５を挿入可能な開口部１８８が形成され、その下方を縦長矩形に刳り抜き、その開口部１８９に前記スライド溝１８５とドグ１８６を表出させている。
【００９２】
前記記憶リセット板１５３はステンレス鋼板をプレス成形して縦長矩形に形成され、これを前記記憶変更中板１５２の内面に上下に摺動可能に配置し、その上下部を前記凸部１７６，１７７に係合して摺動変位を規制している。
前記記憶リセット板１５３の上端部に屈曲片１９１が形成され、該屈曲片１９１は制御装置ケース１５６の内側の凸部１９２に係合可能に配置され、該凸部１９２と屈曲片１９１の間にバネ１９３が介挿され、該バネ１９３の弾性を介して記憶リセット板１５３を上方へ移動可能に付勢している。
【００９３】
前記記憶リセット板１５３の上部にリセットピン１６５を挿入可能な開口部１９４が形成され、その下方に縦長矩形のスライド溝１９５が左右に３列に形成され、各スライド溝１９５の一側に前記ドグ１８６と対称形の略逆Ｌ字形状の複数のドグ１９６が形成され、該ドグ１９６を後述するロックピンの係合爪の他側に係合可能に配置している。
【００９４】
前記リセット板１５４は亜鉛合金ダイカストによって縦長矩形に成形され、その記憶リセット板１５３側の一側にピン１５４ａを介して、縦長矩形の耐食性鋼板製のリセットバネ押え板１９７がカシメ連結され、該リセット板１５４が記憶リセット板１５３の内面に上下に摺動可能に配置されている。
前記リセット板１５４は、上端部を後述する凹部の開口端部に係合可能に配置され、下方の角部１５４ａを制御装置ケース１５６の内側の段部１９８に係合可能に配置され、その上下動を規制されている。
【００９５】
前記リセット板１５４の上部にリセットピン１６５を挿入可能な矩形の開口部１９９が形成され、その上部内面にテーパ面１９９ａが形成され、該テーパ面１９９ａにリセットピン１６５の後述するテーパ部を係合可能に配置している。
前記リセット板１５４の上端部に凸部２００が設けられ、該凸部２００は制御装置ケース１５６の内側の凸部２０１内に係脱可能に挿入され、該凸部２０１の内面と凸部２００の間にバネ２０２が介挿され、該バネ２０２の弾性を介してリセット板１５４を下方へ移動可能に付勢している。
【００９６】
前記リセット板１５４とリセットバネ押え板１９７に、押しボタン２０と同数の楕円形の長孔２０３が形成され、該長孔２０３に臨ませてバネ収容溝２０４が設けられ、該収容溝２０４の一端に、捩りバネであるリセットバネ２０５を支持するピン２０６が設けられている。
前記リセットバネ２０５の一端はバネ収容溝２０４の一側面に係合し、他端の自由端部はバネ収容溝２０４の他側に配置され、この自由端部を後述するロックピンに係脱可能に配置している。
【００９７】
すなわち、前記リセットバネ２０５の自由端部は、押しボタン２０の暗証入力前はロックピンから避退し、後述するコーンフランジの下部、つまり小径側周辺に配置され、押しボタン２０の暗証入力後は前記コーンフランジの上部、つまり大径側に係合して、ロックピンの押し込み位置を保持し暗証入力を保持可能にしている。
図中、２５０はリセット板１５４の下端部に形成した開口窓で、後述するエンターピンアセンブリを取付け可能にしている。
【００９８】
前記ロック板１５５はステンレス鋼板をプレス成形して縦長矩形に形成され、これを前記制御装置ケース１５６の内面に上下に摺動可能に配置し、その上端部を前記凹部２０１の下端面に係合し、下側角部１５５ａを前記段部１９８に係合して、前記上下動を規制している。
前記ロック板１５５の上部に矩形の開口部２０７が形成され、該開口部２０７にリセットピン１６５が回動かつ係合可能に挿入され、その上側縁の中央に切欠溝２０７ａが形成されている。
【００９９】
前記ロック板１５５は、切替座４の切替摘み１０７の設定位置に連係するリセットピン１６５の回動角度によって上下位置を規制され、錠前を自動施錠状態と空錠状態とデッドロック状態の使用常態を形成可能にしている。
例えば、閉扉によって自動的に施錠され、記憶設定した押しボタン２０を室外側から押圧操作して解錠する自動施錠使用の場合は、切替摘み１０７が自動施錠（Ａｕｔｏ  Ｌｏｃｋ）位置に設定され、リセットピン１６５の後述する突起が図２１（ａ）のように開口部２０７内の側方に位置し、後述する係合片の端面と開口部２０７の下側端縁との間に大きなスペ−スを形成して、ロック板１５５の大きな上下変位を確保し、駆動カム５８の解錠回動に対応可能にしている。
【０１００】
また、閉扉によって施錠されず、押しボタン２０を押圧操作することなく、レバーハンドル６，７の操作によって室内外から開扉し得る空錠使用の場合は、切替摘み１０７が空錠（Ｆｒｅｅ）位置に設定され、リセットピン１６５が回動して突起が図２１（ｂ）のように開口部２０７の切欠溝２０７ａに係合し、ロック板１５５を上方へ一定量変位可能にして、駆動カム５８の回動に対応可能にしている。
【０１０１】
更に、閉扉によって自動的に施錠され、室外側からシリンダ錠７０をキー操作して開扉するデッドロック使用の場合は、切替摘み１０７がデッドロック（Ｄｅａｄ  Ｌｏｃｋ）位置に設定され、リセットピン１６５が回動して突起が図２１（ｃ）のように開口部２０７の下側開口縁に係合し、ロック板１５５の上動変位を阻止している。
【０１０２】
前記ロック板１５５の両側に屈曲片２０８が形成され、該屈曲片２０８を制御装置ケース１５６の内側の長溝２０９に係合可能に配置し、該長溝２０９と屈曲片２０８との間にバネ２１０を介挿し、該バネ２１０の弾性を介してロック板１５５を下方へ移動可能に付勢している。
【０１０３】
前記ロック板１５５の中間部に、押しボタン２０と同数の略鉤形のプレートキー孔２１１が形成され、該プレートキー孔２１１は後述するロックピンの第１および第２軸キー２４０，２４１を回動可能に形成されている。
前記プレートキー孔２１１に矩形のプレートロック孔２１１ａが連通して形成され、該プレ−トロック孔２１１ａはプレートキー孔２１１よりも幅狭に形成され、該プレートロック孔２１１ａに第１および第２軸キーの当接面２４０ａ，２４１ａが平行に位置した際、ロック板１５５の上動を可能にし、該プレートロック孔２１１ａに第１および第２軸キーの当接面２４０ａ，２４１ａが直交、つまり対向して位置した際は、ロック板１５５の上動を阻止可能にしている。
【０１０４】
実施形態では、押しボタン２０による暗証情報入力前は、プレートロック孔２１１ａに第２軸キー２４１の当接面２４１ａが平行に位置して、ロック板１５５を移動可能にし、押しボタン２０による暗証情報設定後にリセットする施錠時は、暗証情報設定したロックピンの第２軸キー２４１の当接面２４１ａが、プレートロック孔２１１ａの開口縁に当接可能に位置して、ロック板１５５の移動を阻止可能にしている。
【０１０５】
前記ロック板１５５の下端部に駆動カム５８と係合可能な屈曲片２１２，２１３が内外に突設され、このうち屈曲片２１２は屈曲片２１３より幅広で、駆動カム５８のカム面に摺接可能に配置され、該カム面の磨耗を抑制可能にされ、屈曲片２１３は屈曲片２１３よりも厚肉かつ幅狭に形成され、その中央に切欠部２１３ａが形成され、該切欠部２１３ａを前記駆動カム５８の凸部５８ａに係合可能に配置されている。
【０１０６】
前記ロック板１５５の下部に、前記エンタ−ピンアセンブリを配置可能な略矩形の開口部２１４が形成され、該開口窓２１４の両側にＬ字形の屈曲片２１５が室外座３方向に突出して形成されている。
前記開口窓２１４の上側口縁部に、係合爪２１６が室外座３方向に切り起し形成され、該係合爪２１６の先端部が制御装置ケース１５６の後述する凹所に係合かつ移動可能に挿入されている。
【０１０７】
前記係合爪２１６に隣接して緩衝板２１７が配置され、該緩衝板板２１７に前記開口窓２１４と略同形の矩形の開口部２１８が形成され、該開口部２１８の上側開口縁が後述の第２スライダに係合可能に配置されている。
前記緩衝板板２１７の下部の両側に略Ｌ字形の屈曲片２１９が突設され、前記屈曲片２１５，２１９は制御装置ケース１５６の後述する長溝に係合かつ移動可能に挿入され、該屈曲片２１５，２１９の間にブレーキバネ２２０を介挿して、緩衝板２１７を下方へ付勢している。
【０１０８】
したがって、解錠時に押しボタン２０が適正に操作されずにエンターボタン２１が操作され、後述のエンターピンを移動しスライダを介しロック板１５５が上動する際、第２スライダを介して緩衝板２１７をブレーキバネ２２０に抗して押し上げ、エンターピンの軸力を費消させて、不適正なロックピンに対するロック板１５５の係合力を低減し、前記ロックピンの破損を防止可能にしている。
【０１０９】
前記制御装置ケース１５６は、亜鉛合金ダイカストによって略縦長矩形の箱形に成形され、その内面の上部に後述する記憶変更カムの軸部を挿入可能なカム孔２２２が形成され、その近接位置にストッパ２２３が突設されている。
前記凸部２０１の直下にリセットピン１６５を挿入可能な通孔２２４が形成され、その下方に後述するロックピンの頭部と直近の第１軸キー２４０を回動可能に収容する複数の段付孔２２５が形成され、下端部に前記係合爪２１６と係合可能な矩形の係合溝２２６が形成され、この直下にエンターピン１６８を挿入可能なピン孔２２７が形成されている。
【０１１０】
この他、図中、２２８は前記屈曲片２１５，２１９を挿入可能な長溝、２２９は制御装置ケース１５６の内側端面の上下位置に突設したピンで、前記ピン孔２２１に挿入可能に配置されている。
【０１１１】
前記カム孔２２２に記憶変更カム２３０の軸部２３１が挿入され、該軸部２３１の他端に角孔２３２が形成され、該角孔２３２に記憶変更ピン１６３の一端の角軸部１６３ａが挿入され、そのフランジ２３３を角孔２３２の開口縁に係合している。
前記記憶変更ピン１６３は亜鉛合金ダイカストによって軸状に成形され、前記角軸部１６３ａの他端は該角軸部１６３ａと９０°位相をずらせた角軸状に形成されている。
【０１１２】
前記記憶変更ピン１６３の他端は、制御装置カバー１５０からドア１の外面側に突出し、連係軸９２の角孔９２ａに係合して切替座４に設けたシリンダ１０３に連係し、キー操作を介しセット方向またはリセット方向へ回動可能にされ、暗証情報設定またはその解除若しくは変更時に作動可能にされている。
【０１１３】
例えば、暗証情報設定時、先ずリセットボタン１９を押してリセット板１５４を押し上げ、後述するロックピンに対するリセットバネの係合を解除し、セットスプリングによってロックピンを原位置へ復帰させ、暗証情報設定前の押しボタン２０に対する悪戯を除去し、それらを初期位置に戻す。
前記記憶変更カム２３０は、常時はその一側面を記憶セット板１５１の屈曲片１８２の内側に係合し、他側面を記憶リセット板１５３の屈曲片１９１に係合し、暗証情報設定またはその解除若しくは変更を待機している。
【０１１４】
この状況の下で所望の暗証情報を基に押しボタン２０を押圧後、シリンダ錠１００にキー１０２を差し込み、これをセット方向、つまり図８上反時計方向へ回動し、記憶変更カム２３０を同方向へ回動し、屈曲片１８２を介し記憶セット板１５１を押し上げ、ドグ１８６をロックピンの係合爪に係合して該ロックピンを回動し、その回動位置をセットスプリングを介して保持し、該回動位置を維持したままリセット操作して、該ロックピンを原位置に復帰させ暗証情報を設定するようにしている。
【０１１５】
一方、リセット操作後、キー１０２をリセット方向、つまり図１８上時計方向へ回動し、記憶変更カム２３０を同方向へ回動し、屈曲片１９１を介し記憶リセット板１５３を押し下げ、ドグ１９６をロックピンの係合爪に係合して反時計方向へ回動し、記憶リセット板１５３をバネ１９０の弾性により押し戻して原位置へ復帰させ、暗証情報を解除若しくは変更するようにしている。
【０１１６】
前記リセットピン１６５は亜鉛合金ダイカストによって角軸状に成形され、これは図２３のように記憶変更ピン１６３と略同径で、該ピン１６３よりも長尺に形成され、その一端に前記リセットボタン軸２４の凹溝２７と係合可能な角軸状の凸部２３４を形成している。
前記リセットピン１６５の中間部のオフセット位置に突起２３５が側方に突設され、該突起２３５に隣接して略半円形の係合片２３６が形成され、その一側に前記リセット板１５４のテ−パ面１９９ａと係合可能な略円錐状の係合面２３６ａが形成されている。
【０１１７】
前記係合面２３６ａは、リセットボタン１９の押圧変位に同動してリセット板１５４を押し上げ、ロックピンに対するリセットバネの係合を解除し、ロックピンを原位置へ復帰可能にしている。前記リセットピン１６５の他端部は、凸部２３４と同相の角軸状に形成され、該角軸部を空錠切替摘み１０７の角孔１１０に係入している。
【０１１８】
前述のロックピン２３７は亜鉛合金ダイカストによって軸状に成形され、その一端側、つまりドア１側にストップワッシャ１７４の角孔１７４ａに係合可能な角軸部２３７ａが形成され、その中間位置に前記ドグ１８６，１９６と係合可能な略三角柱状の係合爪２３８を放射方向に突設している。
前記係合爪２３８は、後述のように直交配置された第１および第２軸キーの長径軸心から４５°の位置に形成され、前記ドグ１８６，１９６との係合時に正逆方向に９０°回動可能にしている。
【０１１９】
前記係合爪２３８の近接位置に逆円錐台形状のコーンフランジ２３９が形成され、該フランジ２３９上に同形の第１および第２軸キ−２４０，２４１を重合して形成し、これらの軸キー２４０，２４１は軸周面の両側を平行に切欠いて細長の角軸断面に形成され、かつその長径側の中心を９０°位相をずらせて直交配置している。
【０１２０】
このうち、頭部側の第１軸キー２４０は、前記角軸部２３７ａの断面と直交して形成され、第２軸キー２４１はコーンフランジ２３９の大径側の直上に配置され、かつ前記角軸部２３７ａの断面と同相に形成されていて、前記第１軸キ−２４０上に軸頭部２４２を突設している。
【０１２１】
そして、前記軸頭部２４２を第１軸キー２４０と共に前記段付孔２２５に回動可能に挿入し、その端面を段付孔２２５の開口部に臨ませ、ボタン軸２５の端部と係合可能に配置し、第２軸キー２４１はプレートキー孔２１１内に位置し、平坦面状の当接面２４１ａを、プレートロック孔２１１ａと平行に配置され、ロック板１５５を移動可能にしている。
【０１２２】
前記ロックピン２３７の一端の角軸部２３７ａは、ストップワッシャ１７４の角孔１７４ａに挿入され、他端は前記段付孔２２５の開口部に臨ませて配置され、角軸部２３７ａの段部とストップワッシャ１７４との間に、円錐コイル状のロックスプリング２４３が介挿され、該スプリング２４３の弾性を介してロックピン２３７を押しボタン２０側へ付勢している。
【０１２３】
前記ロックピン２３７は、押しボタン２０の暗証情報設定前は、軸頭部２４２と第１軸キ−２４０とが段付孔２２５に位置し、第２軸キー２４１の当接面２４１ａがロック板１５５のプレートロック孔２１１ａと平行に位置して、ロック板１５５を移動可能にしている。この状況は図３４（ａ）のようである。
【０１２４】
一方、ロックピン２３７は、押しボタン２０の暗証情報設定時は、ロックピン２３７がロックスプリング２４３に抗して押し込まれ、第１軸キー２４０の当接面２４０ａがロック板１５５のプレートロック孔２１１ａの開口縁に係合してロック板１５５の移動を阻止している。この状況は図３４（ｂ）のようである。
【０１２５】
前記ロックピン２３７の係合爪２３８は、押しボタン２０の押圧前は記憶リセット板１５３と記憶リセット板１５３との間に亘って位置し、かつ角軸部２３７ａに対し斜め４５°に配置されていて、前記記憶セット板１５１のドグ１８６と、記憶リセット板１５１のドグ１９６に係合可能に配置され、かつその位置を、ストップワッシャ１７４の係合溝１７４ｂと、制御装置カバー１５０の突起１７３との係合によって保持している。
【０１２６】
前記押しボタン２０の押圧前は、コーンフランジ２３９の縮径側の近接位置にリセットバネ２０５の自由端部が位置し、押しボタン２０の押圧後はリセットバネ２０５がコーンフランジ２３９の大径側上に位置して、ロックピン２３７の押し込み位置を保持可能にしている。
この後、リセットボタン１９を押圧し、リセットピン１６５を同動させてリセット板１５３を上動すると、リセットバネ２０５の自由端部がコーンフランジ２３９の大径側から後退し、その掛止作動を解除して、ロックピン２３７がロックスプリング２４３によって上動し、原位置に復帰可能にされている。
【０１２７】
その際、プレートキー孔２１１に第２軸キー２４１が移動し、その当接面２４１ａがプレ−トロック孔２１１ａに係合可能に位置して、ロック板１５５の移動を阻止し施錠可能になる。この状況は図３４（ｄ）のようである。
【０１２８】
一方、係合爪２３８は暗証番号変更時に記憶変更摘み１０７の操作を介し、記憶セット板１５１または記憶リセット板１５３のドグ１８６，１９６と係合して回動し、これに角軸部２３７ａが同動してストップワッシャ１７４が回動し、該ワッシャ１７４の裏面の係合溝１７４ｂが突起１７３に係合して、ロックピン２３７の回動角度を保持するようにしている。
【０１２９】
前記ドグ３０に対向する制御装置ケース１５６の対応位置に、エンターピン１６８とそのアセンブリが取付けられている。前記エンターピン１６８は亜鉛合金ダイカストによって軸状に成形され、その一端部を制御装置ケース１５６の下部に設けたピン孔２２７に挿入し、その端面をエンターピン１６８に係合可能に配置している。
前記エンターピン１６８の中間部に矩形のフランジ２４４が形成され、該フランジ２４４の上部にテーパ面２４４ａが形成され、該フランジ２４４の他側に段付の軸部を突設している。
【０１３０】
前記フランジ２４４の外側に矩形枠状の第１スライダ２４５が配置され、その上部内面に前記テーパ面２４４ａと係合可能なテーパ面２４５ａが形成され、該第１スライダ２４５の外側周面に矩形枠状の第２スライダ２４６が係合して配置され、該スライダ２４６の上下端面が開口部２１８の内面に係合可能に配置されている。
【０１３１】
前記第２スライダ２４６の上端面に前記緩衝板２１７が掛け止められ、また第２スライダ２４６の外側に矩形枠状の第３スライダ２４７が配置され、その上端部が前記第２スライダ２４６の突片２４６ａに係合可能に配置されている。
前記第３スライダ２４７の一側に脚２４８が突設され、該脚２４８を第２スライダ２４６の外周面に係合して配置し、かつその外面を前記開口部２１８の左右の内面に係合可能に配置している。
【０１３２】
そして、エンターボタン２１を押圧しエンターピン１６８を押し込んで、テーパ面２４４ａ，２４５ａを介し第１スライダ２４６を押し上げ、これに第２および第３スライダ２４６，２４７を同動させて、第１スライダ２４６の上端部をテーパ面２１６に係合し、該テーパ面２１６を押し上げてロック板１５５を同動させ、屈曲片２１２，２１３を駆動カム５８の回動域から後退させ、駆動カム５８を回動可能にして解錠状態を形成可能にしている。
【０１３３】
その際、解錠時に設定した暗証情報通りに押しボタン２０が操作されず、ロック板１５５がロックピン２３７の軸キー２４２に係合して移動できず、解錠状態を形成できない状況の下でエンターボタン２１が押圧されると、エンターピン１６８の押し込み変位によって第１乃至第３スライダ２４６〜２４７が上動し、ブレーキバネ２２０を押し縮めて緩衝板２１７を押し上げ、エンターピン１６８の軸力を吸収する。
したがって、ロック板１５５の破損を未然に防止するとともに、ロック板１５５の上動変位を抑制し、該上動変位を阻止するロックピン２３７の負担を軽減し、その分ロックピン２３７の機械的強度の低下を図れ、その材質を鉄鋼材から安価な亜鉛合金ダイカストに変更し得るとともに、押しボタン２０の悪戯や押し間違いによる故障を回避し得るようにしている。
【０１３４】
このように構成したボタン錠は、ドア１の外面に配置する室外座３と、ドア１の内面に配置する切替座４とハンドル取付座５とからなり、これらを別々に製作してドア１の内外位置に別々に取付ける。
その際、ドア１の内面に切替座４とハンドル取付座５とを別々に製作し、かつこれらを分離して配置しているから、従来のハンドル取付座に比べて、ハンドル取付座５の小形軽量化を図れるとともに、切替座４とレバーハンドル７の操作を独自かつ円滑に行なえる。
【０１３５】
次に、前記室外座３を製作する場合、室外座３はハウジング１８にリセットボタン１９と、エンターボタン２１とレバーハンドル６を組み付けたハウジングアセンブリと、該アセンブリの内側に取付ける暗証情報制御装置１４９とからなり、これらを別々に製作後、これらを一体に連結する。
【０１３６】
したがって、ハウジングアセンブリと暗証情報制御装置１４９とを合理的に製作できるとともに、暗証情報制御装置１４９を共通の構成にすることによって、ハウジング１８や押しボタン２０、リセットボタン１９並びにエンタ−ボタン２１の形状、押しボタン２０の個数、配置等の種々に変えた表装デザインに対応し得る。
換言すれば、ハウジング１８の種々の表装デザインに暗証情報制御装置１４９を流用することによって、合理的なデザインと暗証情報制御装置１４９に対するメンテナンスを合理的に行なえる。
【０１３７】
前記ハウジングアセンブリを製作する場合は、リセットボタン挿通孔２２にハウジング１８の内側からリセットボタン軸２４とリセットボタンバネ２８を挿入し、各押しボタン挿通孔２３にハウジング１８の内側からボタン軸２５と一体の押しボタン２０と押しボタンバネ２８を挿入し、更にエンタ−ボタン挿通孔３１にハウジング１８の内側からエンタ−ボタン２１を挿入し、該ボタン２１の内側の凹孔３２にエンターボタンバネ３３を挿入する。
【０１３８】
この場合、押しボタン２０はボタン軸２５と一体に構成されているから、部品点数が低減し、その分押しボタン２０の組み付けの手間が軽減する。
前記挿入後、それらの内側からボタン押え板３５を収容し、該押え板３５のビス孔３９にビス３４を挿入し、これをハウジング１８のネジ孔４２にねじ込んで固定する。この状況は図１２のようである。
この後、前記探り防止板４３をボタン押え板３５に重合し、その屈曲片４４を段部４５に掛け止め、該屈曲片４４と直上の凸壁との間にバネ４７を介挿して、探り防止板４３を下方へ付勢する。
【０１３９】
次に、ハウジング１８の内側下部にレバーハンドル６を取付ける場合は、軸穴５２の外側にスリーブ５３を挿入し、該スリーブ５３の外側にレバーハンドル６の軸部を嵌合し、該軸部の内側端部にシート６９を介してスタッド５４の一端を接合し、該スタッド５４の内側からボルト５７をレバーハンドル６の軸部にねじ込んで緊締する。
【０１４０】
そして、前記スタッド５４の角軸周面に駆動カム５８を嵌合し、該カム５８の端部の角穴５９にジョイント６０の角軸部を嵌合し、その先端のボスにギヤ６１を回動可能に取付ける。
前記ジョイント６０とギヤ６１の内側に角芯棒６を挿入し、該角芯棒６２に二つのピン６３，６４を差し込み、この一方のピン６４をギヤ６１の内側の角度規制溝（図示略）に係合し、他方のピン６３をスッッド５４の端部に掛け止め、ギヤ６１の回動角度を９０°に規制する。
【０１４１】
前記ハウジング１８の下部の凹孔８０にベベルギヤ７８の支軸７９を回動可能に挿入し、該ベベルギヤ７８を前記ギヤ６１に噛合可能に配置するとともに、該ベベルギヤ７８に噛合するベベルギヤ７６の軸部をブラケット７７に回動可能に支持し、前記軸部に回動軸７４を連結する。
【０１４２】
一方、ハウジング１８の下端部に、取付カバ−８１を介してシリンダ錠７０を取付け、該シリンダ錠７０のシリンダー７２と一体の角軸部７３を前記回動軸７４の角孔７５に係合し、シリンダ錠７０の回動変位をギヤ６１に連係可能にする。
この後、ハウジング１８の内側下部に、連結パイプ８３を突設したプレートカバー６５を取付け、該カバー６５からギヤ６１のボス６１ａと角芯棒６２を突出し、また前記支軸７９と同軸のベベルギヤ７８の支軸を回動可能に突出する。なお、連結パイプ８２は一連の組み付け後、または予めハウジング１８に取付けられる。
【０１４３】
次に、前記暗証情報制御装置１４９を製作する場合は、その構成部品である制御装置ケース１５６と制御装置カバー１５０を亜鉛合金ダイカスト成形し、記憶セット板１５１と記憶変更中板１５２、記憶リセット板１５３とリセット板１５４とは鋼板をプレス成形して製作し、また記憶変更ピン１６３と記憶変更カム２３０、リセットピン１６５およびロックピン２３７を亜鉛合金ダイカスト成形し、更にエンターピン１６８と第１乃至第３スライダ２１５〜２４７を亜鉛合金ダイカスト成形する。
【０１４４】
前記構成部品を組み立てる場合は、例えば制御装置ケース１５６を掛け止め可能な組立治具（図示略）を用意し、該治具に先ず制御装置ケース１５６を上向きに収容し、該ケース１５６の下部のピン孔２２７にエンタ−ピン１６８を挿入する。
この後、緩衝板２１７を組み付けたロックプレート１５５を制御装置ケース１５６の内側に収容し、その屈曲片２０８を長溝２０９の開口縁に掛け止め、該屈曲片２０８と長溝２０９の内面にバネ２１０を挿入し、ロックプレート１５５を下方へ付勢する。
【０１４５】
また、ロックプレート１５５と一体の係合爪２１６を、制御装置ケース１５６の係合溝２２６に移動可能に収容し、その先端部をエンターピン１６８のフランジ２４４の先端部に対向配置し、該フランジ２４４に第１および第２スライダ２４５〜２４７を順次係合配置し、第２スライダ２４６の上端部に緩衝板２１７を掛け止める。
【０１４６】
更に、ロックピン２３７の軸頭部２４２をプレートキー孔２１１から制御装置ケース１５６の段付孔２２５に挿入し、その先端の第１軸キー２４０をプレートキー孔２１１の中心と直交方向に配置し、第２軸キ−２４１をプレートキー孔２１１と平行に配置する。
したがって、係合爪２３８はリセット板１５４に近接して配置され、プレートキー孔２１１の中心から斜め下向きに配置される。この状況は図２７および図２８のようである。
【０１４７】
次に、リセットバネ２０５を内部に装着したリセット板１５４をロックプレート１５５上に収容し、その軸部２００を制御装置ケース１５６の凹部２０１に挿入し、かつそれらの間にバネ２０２を挿入して、リセット板１５４を下方へ付勢し、各長孔２０３の開口縁上に前記係合爪２３８を配置する。
また、ロックプレート１５５の開口部１９９にリセットピン１６５の頭部の突起２３４を挿入し、これをロックプレート１５５の開口部２０７から制御装置ケース１５６の通孔２２４に挿入し、前記ケース１５６の外側面に表出する。
【０１４８】
そして、リセットピン１６５のテーパ面２３６ａをリセット板１５４のテーパ面に係合可能に配置し、第３スライダ２４７の脚２４８をリセット板１５４の開口窓２０６に挿入し、第３スライダ２４７を第２スライダ２４６上に重合する。
この後、リセット板１５４上に記憶リセット板１５３を配置し、その開口部１９４にリセットピン１６５を挿通するとともに、屈曲片１９１を凹部２０１の上部壁に係合可能に配置し、該上部壁と屈曲片１９１との間にバネ１９３を挿入し、記憶リセット板１５３を上方へ移動可能に付勢する。
【０１４９】
前記記憶リセット板１５３上に記憶変更中板１５２を収容し、その開口部１８３にリセットピン１６５を挿通するとともに、制御装置ケース１５６のカム孔２２２に記憶変更カム２３０の軸部２３１を挿入し、その角孔２３２に記憶変更ピン１６３を挿入し、該ピン１６３を中立位置、つまり記憶変更カム２３０を図３２上右向きに位置付ける。
【０１５０】
次に、前記記憶変更中板１５２上に記憶セット板１５１を収容し、その開口部１８３に記憶変更ピン１６３を挿通し、開口部１８４にリセットピン１６５を挿通し、上端の屈曲片１８２を記憶変更カム２３０の上側面に係合し、該屈曲片１８２と制御装置ケース１５６の上端部の凹溝にバネ１９０を介挿し、記憶セット板１５１を下方へ移動可能に付勢するとともに、記憶変更カム２３０の中立位置を保持可能に付勢する。この状況は図３２のようである。
【０１５１】
この後、前記記憶セット板１５１上に制御装置カバー１５０を被着し、段付孔１６４に記憶変更ピン１６３を挿通し、段付孔１６６にリセットピン１６５を挿通し、凸部１７７を記憶セット板１５１の切欠１８１に係合可能に配置するとともに、制御装置カバー１５０の通孔１６９にリセットピン１６８を挿入し、凹溝１７８〜１８０をリセットピンアセンブリ上に被着する。
【０１５２】
その際、前記一連の組み付けの適否を確認する。この場合は、例えば記憶セット板１５１上に突出したロックピン２３７の組み付け位置によって判断する。
すなわち、全てのロックピン２３７の角軸部２３７ａに対し、その両面カット部が図３２のように左右に位置する場合は、組み付けが適正であると判断し、この後、角軸部２３７ａにロックスプリング２４３の小径側を挿入する。
【０１５３】
一方、制御装置カバー１５０のワッシャ受け孔１６７内の突起１７３周辺に潤滑用グリス（図示略）を塗布し、該グリス上にストップワッシャ１７４を収容し、かつその角孔１７４ａを前記角軸部２３７ａと同方向に合致させて押し込み、裏面の係合溝１７４ｂを前記突起１７３に係合し、前記グリスの粘着力と係合力によって、ストップワッシャ１７４をワッシャ受け孔１６７の内面に保持して置く。
【０１５４】
この後、前記ストップワッシャ１７４の角孔１７４ａを前記ロックピン２３７の角軸部２３７ａに挿入し、該角軸部２３７ａを前記制御装置カバー１５０の通孔１７２に挿入する。
そして、制御装置カバー１５０の上下端部に設けた複数のピン孔２２１を、制御装置ケース１５６の上下端部に突設した複数のピン２２９に嵌合し、複数のビス孔１５８をネジ孔１５９に位置決めし、ビス１５７をビス孔１５８に挿入し、これをネジ孔１５９にねじ込んで、制御装置カバー１５０を制御装置ケース１５６の開口部周縁に密着し、固定する
この状況は図１３のようである。                                              
【０１５５】
こうして組み付けた暗証情報制御装置１４９は、図８のように縦長の略箱状に形成され、その外側に堅牢な制御装置ケース１５６と制御装置カバー１５０を配置し、その内部に前記構成部品を収容し、これらを強力に防護している。
前記暗証情報制御装置１４９は、暗証情報入力前の初期状態を維持して組み付けられ、この後、ハウジングアセンブリに組み込む。
その場合は、制御装置ケース１５６をハウジング１８の内側に向けて収容し、複数のビス孔１６１をハウジング１８の複数のネジ孔１６２に位置合わせ、ビス１６０をビス孔１６１に挿入し、これをネジ孔１６２にねじ込んで緊締する。
【０１５６】
次に、切替座４を製作する場合は、切替座本体８５の底板８７の通孔９１に連係軸９２を掛け止めるとともに、張出部８５ａの上側の通孔９７にシリンダ錠１００を挿入し、張出部８５ａの内側から螺軸にナット１０１をねじ込んで、シリンダ錠１００を取付ける。
また、張出部８５ａの下側の通孔９９に空錠切替摘み１０７と一体の切替軸１０８を挿入し、張出部８５ａの内側から前記切替軸１０８にストッパ１１３とバネ１１１６、座金１１５を挿入し、その後部の嵌合溝に止め輪１１４を差し込んで、切替摘み１０７の頭部を取付ける。
【０１５７】
更に、通孔１２６に切替座本体８５の内側からデッドロックボタン１２７を挿入し、その後部の段部１２５上にバネ１３１を介して切替板１２８を配置し、該バネ１３１の一端の脚部１２９を段部１２５上に収容するとともに、前記バネ１３１の他端をストッパ１１３の内面に掛け止め、デッドロックボタン１２７を押圧可能に取付ける。
そして、前記アセンブリ途中の切替座本体８５を底板８７の前面に配置し、シリンダ１０３の角軸部１０４を連係軸９２の角孔１０５に係合し、それらの間にバネ１０６を介挿するとともに、切替座本体８５と底板８７との間に支持パイプ（図示略）を介挿し、該パイプに外側からビスをねじ込んで、これらを連結する。
【０１５８】
この後、カバー８６の枢軸１２２，１２２にヒンジカム１２３，１２３を係合し、該カム１２３の間にバネ１２４を介挿し、これらを一体的に組み付け後、前記枢軸１２２のアセンブリをカバー８６と一緒に突起１１９の前面に配置し、その前方からヒンジケース１２０を突起１１９に押し込んで嵌合し、カバー８６の上端部を切替座本体８５の上部に上下に回動可能に連結する。この状況は図２９のようである。
【０１５９】
前記ハンドル取付座５を製作する場合は、ハンドル取付座５を亜鉛合金ダイカスト成形し、その貫通孔１３４の外側からレバーハンドル７の角軸部７ａを挿入し、該角軸部７ａに座金１３６と止め輪１３７を取付けて抜け止めする。
一方、裏板１３９の裏面に捩りバネ１４６を介してバネ受け１４１を取付け、該裏板１３９をハンドル取付座５の凹状面中央にビス止めする。この状況は図９のようである。
【０１６０】
こうして製作した室外座３と切替座４とハンドル取付座５をドア１に取付ける場合は、ドア１の側端部の中高位置に矩形の埋設穴（図示略）を形成し、該埋設穴に本締錠８を収容し、デッドボルト９とラッチトリガー１０をドア１の側端部に出没可能に配置する。
また、ドア１の所定位置にパイプ挿通孔１１，１２，１３，１４と、貫通孔１５，１６および角芯棒挿通孔１７を形成し、前記パイプ挿通孔１１，１２，１３，１４にドア１の外側から室外座３の連結パイプ８２，８３，８４を挿入する。
【０１６１】
前記貫通孔１５，１６にドア１の内側から切替座４の連係軸９２と切替軸１０８を挿入し、前記連係軸９２の角孔９２ａに室外座３に組み付けた記憶変更ピン１６３をドア１の外側から係合し、切替軸１０８の角孔１１０に室外座３に組み付けたリセットピン１６５を係合する。
また、前記連結パイプ８２，８４に切替座４の外側からビス１３３をねじ込み、切替座４をドア１の内側に取付ける。
【０１６２】
一方、前記連結パイプ８３にハンドル取付け座５の外側からビス１４８をねじ込み、前記パイプ挿通孔１３に室外座３の連結パイプ１７５を挿入し、該連結パイプ１７５にハンドル取付け座５の外側からビス１４８をねじ込み、更に室外座３に組み付けた角芯棒６２を角芯棒挿通孔１７に差し込み、かつこれをハンドル取付け座５の係合歯１４３に係合して装着する。この状況は図７および図８、図１０のようである。
【０１６３】
こうしてドア１の内外面に取付けた室外座３と、切替座４とハンドル取付座５の状況は図１乃至図５のようである。
このうち、室外座３は正面形状が縦長矩形で、その側面形状は凸状に緩やかに湾曲する曲面形状に形成され、その中間部に楕円形状の複数の押しボタン２０が斜状に取付けられて縦横に配列され、かつそれらの押しボタン２０は下位のものほど突出高さを漸増して、シンプルでグラデーションを有する審美感を奏している。
また、切替座４とハンドル取付座５は、ドア１の内側に上下に離間して配置されているから、これらを一体化した場合に比べてシンプルで、コンパクトに構成されている。
したがって、ドア１の外観が簡潔になり、ドア１に対する重量負荷が抑制され、蝶番の負担を軽減する。
【０１６４】
こうしてドア１に組み付けた記憶情報設定前の室外座３は、リセットボタン１９と押しボタン２０とエンターボタン２１が、内側のバネ２８、２９、３３によってハウジング１８の外側へ突出して付勢され、レバーハンドル６が水平に静止している。この状況は図１および図５のようである。
前記ハウジング１８の内面に、各ボタン軸２４，２５を出入り可能にしたボタン押え板３５がビス止めされ、その内側に探り防止板４３が重合して配置され、該防止板４３はバネ４７を介して下方へ付勢され、その下端の角孔４９がドグ３０のテーパ３０ａと係合可能に配置されている。  
【０１６５】
したがって、エンターボタン２１の押圧時にバネ４７に抗して探り防止板４３を押し上げ、これに長孔５０を同動させて、ボタン押え板３５の各通孔３８を一部または全域を閉塞し、押しボタン２０の押圧ないしボタン軸の移動を規制して、エンターボタン２１と押しボタン２０の複合操作によって、ロックピン２３７の記憶入力の有無を察知する不法操作を阻止可能にしている。
【０１６６】
前記ハウジング１８の内側に、探り防止板４３に隣接して暗証情報制御装置１４９の一側が配置され、この他側がドア１の外面に隣接して配置されている。
前記暗証情報制御装置１４９は、制御装置カバー１５０と制御装置ケース１５６が外側に位置し、その内側に記憶セット板１５１と、記憶変更中板１５２と、記憶リセット板１５３と、リセット板１５４と、ロック板１５５とが積層して配置され、このうち記憶変更中板１５２を除く各板が、バネ１９０、１９３、２０２、２１０を介して、上下に摺動可能に配置されている。
【０１６７】
前記暗証情報制御装置１４９の上端部の記憶変更ピン１６３は、一端がドア１に挿入した連係軸９２に係合し、他端が記憶変更カム２３０に係合している。
そして、切替座４が「ＳＥＴ」と「ＲＩＳＥＴ」の中立位置を保持している状況の下では、記憶変更カム２３０が図３２のように側方、つまり水平に位置している。
【０１６８】
また、リセットボタン１９と同軸上にリセットピン１６５が配置され、該ピン１６５の一端が切替軸１０８の角孔１１０に係合し、他端が制御装置ケ−ス１５６の通孔２２４に回動可能に挿入され、先端の凸部２３４がリセットボタン軸２４の凹溝２７に係合可能に位置している。
前記リセットピン１６５の係合片２３６は、ロック板１５５の開口部２０７の開口縁部上に係合かつ回動可能に配置され、切替摘み１０７の回動操作によって、突起２３５を開口部２０７の開口縁部と切欠溝２０７ａに係合可能に配置され、ロック板１５５の上動変位を規制して、錠前の自動施錠使用と空錠使用とデッドロック使用を切替え、かつ当該状態を形成可能にしている。
【０１６９】
前記エンターボタン１９と同軸上にエンターピン１６８が配置され、該エンターピン１６８の一端が制御装置ケース１５６の通孔２２４に回動可能に挿入され、他端がエンターボタン１９のドグ３０と係合可能に位置し、そのフランジ２４４のテーパ面２４４ａに第１スライダ２４５のテーパ面２４５ａが係合可能に位置している。
【０１７０】
前記制御装置カバー１５０の角孔１７４ａと、制御装置ケース１５６の段付孔２２５との間に、前記積層配置した各構成部材１５１〜１５５をロックピン２３７が貫通して回動かつ軸方向へ移動可能に配置され、その一端の角軸部２３７ａをストップワッシャー１７４の角孔１７４ａに係合し、他端の軸頭部２４２を段付孔２２５の外側に配置し、その端面を押しボタン軸２５に係合可能に配置するとともに、段付孔２２５の内側に第１軸キー２４０を回動可能に収容している。この状況は図５のようである。
【０１７１】
前記ロックピン２３７の一端は、ストップワッシャー１７４に収容したロックスプリング２４３によって、押しボタン２０側へ移動可能に付勢され、そのコーンフランジ２３９の縮径部側にリセットバネ２０５の自由端部が位置している。
そして、押しボタン２０の押圧操作によってロックピン２３７が押し込まれ、コーンフランジ２３９の大径側をリセットバネ２０５が掛け止め、ロックピン２３７の押し込み位置を保持可能にしている。
【０１７２】
前記ロックピン２３７の押し込み位置は、リセットボタン１９の押圧操作によってリセット板１５４を移動し、リセットバネ２０５をコーンフランジ２３９から避退し、前記掛け止め作用を解除させることによって解消され、ロックピン２３７を原位置へ復帰可能にしている。
【０１７３】
前記ロックピン２３７の中間位置に係合爪２３８が突設され、該係合爪２３８は記憶セット板１５１と記憶リセット板１５３のドグ１８６，１９６の移動域に係合可能に配置され、それらの係合によって正逆方向へ回動可能にされ、その回動位置をストップワッシャ−１７４を介して保持可能にされている。
前記記憶セット板１５１と記憶リセット板１５３は、記憶変更カム２３０の正逆回動によって上下動し、該変更カム２３０の作動は、シリンダ錠１００のキー操作による連係軸９２ないし記憶変更ピン１６３の回動に連係している。
【０１７４】
前記記憶セット板１５１は、暗証情報設定時にシリンダ錠１００のキー操作と記憶変更カム２３０の回動によって上動し、ドグ１８６を係合爪２３８に係合してロックピン２３７を９０°回動し、その回動位置をストップワッシャー１７４によって保持可能にしている。
また、前記記憶リセット板１５３は、暗証番号解除時にシリンダ錠１００のキ−操作と記憶変更カム２３０の逆回動によって下動し、ドグ１９６を係合爪２３８に係合してロックピン２３７を逆方向へ９０°回動し、その回動位置をストップワッシャー１７４によって保持可能にしている。
【０１７５】
前記ストップワッシャー１７４はワッシャ受け孔１６７に回動可能に収容され、該ワッシャー１７４はロックスプリング２４３を介してワッシャ受け孔１６７の底部に押し付けられ、その下面に形成した十字状の係合溝１７４ｂを、ワッシャ受け孔１６７の底部に突設した突起１７３に係合可能にされている。
そして、前記暗証情報設定時と暗証番号解除時若しくは暗証番号変更時、ストップワッシャー１７４はロックピン２３７の回動に同動してワッシャ受け孔１６７の底部上を回動し、係合溝１７４ｂを突起１７３に係合して、ロックピン２３７の回動位置を保持可能にしている。
【０１７６】
前記ドア１に組み付けた切替座４は常時はカバ−８６を閉塞し、その内側のシリンダ錠１００を「ＳＥＴ」と「ＲＩＳＥＴ」の中立位置に保持し、シリンダ錠１００に連係する連係軸９２を介して、記憶変更ピン１６３を中立位置に保持し、記憶変更カム２３０を中立位置に位置付けている。
また、前記切替摘み１０７はオートロック位置、つまり自動施錠状態に置かれ、その切替軸１０８に係合するリセットピン１６５を、室外座３側から見て図２５の状態に位置付けている。更に、デッドロックボタン１２７は常時は「ＯＦＦ」されて切替座４の外側へ突出し、切替摘み１０７はオートロック位置に位置付けられている。
【０１７７】
前記ドア１の内側に組み付けたハンドル取付座５は、そのレバーハンドル７が本締錠８を介して、角芯棒６２と室外側のレバーハンドル６に連係している。
前記自動施錠状態の室外座３は、暗証情報設定前はロック板１５５がバネ２１０によって押し下げられ、下端の屈曲片２１３の切欠部２１３ａに駆動カム５８の凸部５８ａが係合して施錠可能にされ、この後、暗証情報入力する押しボタン２０を押圧し、エンターボタン２１を押圧操作することよって、解錠可能にされている。
【０１７８】
このような状況の下でボタン錠に暗証情報を設定する場合は、ドア１を開扉状態にし、その外側から室外座３のリセットボタン１９を押圧してリセット操作する。
前記リセットボタン１９を押圧すると、リセットボタン軸２４がリセットボタンバネ２８に抗してハウジング１８内に押し込まれ、リセットピン１６５の端部に係合して、該リセットピン１６５を内側へ押し込む。
このため、リセットピン１６５のテーパ状の係合面２３６ａが、リセット板１５４のテーパ面１９９ａを押圧して係合し、リセット板１５４をバネ２０２に抗して押し上げる。
【０１７９】
この結果、内部に装着したリセットバネ２０５がリセット板１５４に同動し、該リセットバネ２０５が長孔２０３内に位置するロックピン２３７から離間して掛け止め作用を解除し、ロックピン２３７がロックスプリング２４３によって押し戻され、原状を回復する
したがって、前記リセット操作によって、暗証情報設定前に押しボタン２０が悪戯または誤って押し込まれ、ロックピン２３７が押し込まれた事態を除去し、その初期状態を回復する。この状況は図２７および図２８、図３０のようである。
【０１８０】
また、前記リセット時は図３４（ａ）のように、第２軸キー２４１がロック板１５５のプレートキー孔２１１内に位置し、その当接面２４１ａがプレートロック孔２１１ａと平行に位置し、ロック板１５５を移動可能にしている。
この後、リセットボタン１９を手放すと、リセットボタン１９がリセットボタンバネ２８によって押し戻され、係合面２３６ａがテーパ面１９９ａから離間して圧接力が解除され、リセット板１５４がバネ２０２に押し戻され、原位置に復帰する。
【０１８１】
この後、所望の暗証情報に対応する押しボタン２０を押圧し、暗証情報を設定する。例えば暗証情報を「１Ａ６」とすると、対応する文字表示を付記した３個の押しボタン
２０を押圧する。この場合、押しボタン２０の押圧順序は存在しない。
前記各押しボタン２０は、押しボタンバネ２９に抗してハウジング１８内に押し込まれ、ボタン押え板３５の通孔３８と探り防止板４３の長孔５０を移動して、ロックピン２３７の軸頭部２４２の端面に係合し、該ピン２３７をロックスプリング２４３に抗して内側へ押し込む。この後、押しボタン２０を手放すと、押しボタン２０が押しボタンバネ２９によって押し戻される。
この場合、前記暗証情報設定に採択されなかった押しボタン２０は押圧されず、組み込み後の初期状態に置かれる。
【０１８２】
この状況は図２９および図３１のようで、押しボタン２０を押し込むと、直下のロックピン２３７が係合して同方向へ移動し、そのコーンフランジ２３９がリセットバネ２０５を押し退けて押し込まれ、この後リセットバネ２０５がコーンフランジ２３９の直上に移動してコーンフランジ２３９を掛け止め、ロックピン２３７の押し込み位置を保持する。
【０１８３】
その際、係合爪２３８は記憶セット板１５１と記憶リセット板１５３との間に亘って位置し、先端の角軸部２３７ａが制御装置カバー１５０の通孔１７２から突出する。
この状況は図３４（ｂ）のようで、第１軸キ−２４０がプレートキー孔２１１に移動し、その当接面２４０ａがプレートロック孔２１１ａの開口縁と係合可能に位置する。
【０１８４】
こうしてロックピン２３７の押し込み位置を保持後、室内側の切替座４のカバー８６を開け、シリンダ錠１００のキー孔にキー１０２を差し込み、シリンダ１０３をセット（ＳＥＴ）方向へ９０°回動する。
このようにすると、シリンダ１０３の回動変位が端部の角軸部１０４を介して連係軸９２に伝達され、該連係軸９２の角孔９２ａに係合する記憶変更ピン１６３を介して、該変更ピン１６３に係合する記憶変更カム２３０が同動する。
【０１８５】
すなわち、記憶変更ピン１６３が図２８上反時計方向へ９０°回動し、これに該ピン１６３に係合する記憶変更カム２３０が同動し、該変更カム２３０に係合する屈曲片１８２を押圧し、該屈曲片１８２と一体の記憶セット板１５１がバネ１９０に抗して押し上げられる。
その際、記憶セット板１５１に形成したドグ１８６が、前記押し込まれたロックピン２３７の係合爪２３８に係合し、該ロックピン２３７を同図上時計方向へ９０°回動する。
【０１８６】
この状況は図３３のようで、前記押し込まれたロックピン２３７の係合爪２３８が同図上斜め上向きに位置付けられ、第１軸キー２４０が９０°回動して、その当接面２４０ａがプレートロック孔２１１ａと平行に位置し、ロック板１５５を移動可能にする。この状況は図３４（ｃ）のようである。
【０１８７】
また、前記ロックピン２３７の回動によって、角軸部２３７ａと嵌合するストップワッシャー１７４がワッシャー受け孔１６７上を回動し、ロックピン２３７と同角度回動したところで、裏面の係合溝１７４ｂが近接する突起１７３に係合し、かつこれにロックスプリング２４３の押圧力が作用して静止し、前記ロックピン２３７およびその係合爪２３８の回動位置を保持する。
【０１８８】
前記キー１０２はシリンダ１０３を回動後、逆方向へ９０°回動し、シリンダ１０３が原位置に復帰したところで引き抜かれる。
このため、前述同様に記憶変更カム２３０がシリンダ１０３の回動変位に同動し、記憶セット板１５１がバネ１９０に押し下げられて原位置に復帰する。
【０１８９】
この後、ドア１の外側から室外座３のリセットボタン１９を押圧し、前述と同様の要領でリセット操作し、リセット板１５４をバネ２０２に抗して押し上げ、リセットバネ２０５をロックピン２３７から離間させ、リセットバネ２０５による掛け止め作用を解除して、ロックピン２３７を押し戻す。
【０１９０】
このため、ロック板１５５のプレートキー孔２１１に第２軸キ−２４１が移動し、その当接面２４１ａがプレートロック孔２１１ａの開口縁と係合可能に位置する。この状況は図３４（ｄ）のようである。
したがって、前記暗証番号を設定した押しボタン２０に対応するロックピン２３７によって施錠状態が形成され、防御機能を奏する。このため、錠前の防御機能の強化は暗証情報の桁数を増やし、実質的に機能するロックピン２３７の本数を可及的に増加することによって、達成される。
【０１９１】
このようにして暗証情報を設定後、その設定の適否を確認するため、確認操作することが望ましい。
その場合は開扉状態で後述する自動施錠の解錠操作を実行し、解錠の有無によって前記設定の適否を確認する。
すなわち、前記解錠操作はドア１の外側からリセットボタン１９を押圧し、暗証情報を設定した押しボタン２０、実施形態では「１Ａ６」の各押しボタン２０を押し込み、エンターボタン２１を押圧してレバーハンドル６を開回動し、デッドボルト９がドア１の端部から後退するか否かを確認し、後退した場合は前記暗証番号設定が適正に行われ、後退しない場合は前記設定が適正に行われていないと判断し、適正でない場合は設定し直す。
【０１９２】
こうして暗証番号設定の適正を確認後、閉扉すると、デッドボルト９がドア枠の凹所（共に図示略）に突出して本締錠８が機能し、また駆動カム５８の凸部５８ａがロック板１５５の下端の屈曲片２１３の切欠部２１３ａに係合する。
また、前記暗証情報を設定した３本のロックピン２３７の第１軸キー２４０の当接面２４０ａが、図３４（ｄ）のようにロック板１５５のプレートロック孔２１１ａの開口縁に係合可能に位置し、ロック板１５５の上動を阻止し、かつ駆動カム５８の開回動を阻止して、前記ロックピン２３７による施錠状態を形成する。
【０１９３】
次に、前記暗証情報を設定して閉扉したボタン錠を解錠する場合は、ドア１の外側から室外座３のリセットボタン１９を押圧し、前述と同様の要領でリセット操作する。
すなわち、リセットピン１６５をハウジング１８内に押し込み、その係合面２３６ａをリセット板１５４のテーパ面１９９ａに係合して押圧し、リセット板１５４をバネ２０２に抗して押し上げる。
【０１９４】
そして、リセット板１５４内のリセットバネ２０５をロックピン２３７から離間させ、その掛け止め作用を解除して、ロックピン２３７をロックスプリング２４３によって押し戻し、原位置に復帰させる。
このように前記リセット操作によって、前記閉扉後解錠操作前に押しボタン２０が悪戯または誤って押し込まれ、ロックピン２３７が押し込まれた事態を解消し、ロックピン２３７の暗証番号設定状態を復旧させる。
【０１９５】
前記リセット操作によるロック板１５５の状況は図３５（ａ）のようで、図３４（ｄ）と実質的に同様であり、前記暗証番号設定した３本のロックピン２３７の第１軸キー２４０の当接面２４０ａが、ロック板１５５のプレートロック孔２１１ａの開口縁に係合可能に位置し、ロック板１５５の上動を阻止し、かつ駆動カム５８の開回動を阻止して、前記ロックピン２３７による施錠状態を形成している。
【０１９６】
この後、前記暗証番号設定した押しボタン２０を順次押圧し、各ボタン軸２５を押しボタンバネ２９に抗してハウジング１８内に押し込み、ボタン軸２５の先端部をロックピン２３７の軸頭部２４２の端面に係合し、該ピン２３７をロックスプリング２４３に抗して内側へ押し込む。
そして、コーンフランジ２３９を押し込んでリセットバネ２０５を押し退け、押し退けたリセットバネ２０５をコーンフランジ２３９の直上に移動して、コーンフランジ２３９を掛け止め、ロックピン２３７の押し込み位置を保持する。
【０１９７】
この状況は図３５（ｂ）のようで、ロック板１５５のプレートキー孔２１１に第１軸キー２４０が移動し、その当接面２４０ａがプレートロック孔２１１ａと平行に位置して、ロック板１５５を上動可能にする。
この場合、暗証情報を設定しなかったロックピン２３７は、プレートキー孔２１１内で組み立て後の初期状態を保持し、前記押し込み後の第１軸キー２４０と同様に位置するから、ロック板１５５が上動可能になる。
【０１９８】
そこで、ドア１の外側から室外座３のエンターボタン２１をバネ３３に抗して押圧し、ドグ３０の先端部をエンターピン１６８の頭部に係合し、該ピン１６８のテーパ面２４４ａを第１スライダ２４５のテ−パ面２４５ａに係合して押し込み、該１スライダ２４５を上動させる。
前記第１スライダ２４５の上動変位は、該スライダ２４５の外側に取付けた第２および第３スライダ２４６，２４７に伝達され、その上動変位が第１乃至第３スライダ２４５〜２４７を介して係合爪２１６に伝えられ、該係合爪２１６と一体のロック板１５５を押し上げる。
【０１９９】
このため、ロック板１５５の下端に設けた屈曲片２１２，２１３が同動し、駆動カム５８の上方へ移動して凸部５８ａから離間し、該凸部５８ａと切欠部２１３ａとの係合を解除して駆動カム５８が回動可能になる。
そこで、レバーハンドル６を保持して回動し、これに本締錠８を介し角芯棒６２を回動して駆動カム５８を回動すると、デッドボルト９がドア枠の凹所（図示略）から引き抜かれ、開扉可能になる。
【０２００】
その際、前記解錠時に暗証情報通りに押しボタン２０が操作されず、ロック板１５５がロックピン２３７の第２軸キ−２４２に係合して移動できず、解錠状態を形成できない状況の下でエンタ−ボタン２１が押圧されると、エンターピン１６８の押し込み変位によって、第１乃至第３スライダ２４６〜２４７が上動し、ブレーキバネ２２０の弾性に抗し緩衝板２１７が押し上げられ、エンターピン１６８の軸力を吸収する。
【０２０１】
したがって、ロック板１５５の破損を未然に防止するとともに、ロック板１５５の上動変位を抑制し、該上動変位をプレートキー孔２１１で阻止するロックピン２３７の負担を軽減し、ロックピン２３７の屈曲ないし折損を防止し、その分ロックピン２３７の機械的強度の低下を図れ、その材質を鉄鋼材から安価な亜鉛合金ダイカストに変更し得るとともに、押しボタン２０の悪戯や押し間違いによる故障を回避し得る。
【０２０２】
次に、前記設定した暗証情報を変更する場合は、前記設定した暗証番号「１Ａ６」を一旦解除し、その後、新たな暗証情報を設定して行なう。
前記暗証情報の変更に際しては、開扉状態の下でドア１の外側からリセットボタン１９を押圧し、前述の要領でリセット操作する。
前記リセット操作によって、暗証番号更操作前に押しボタン２０が悪戯または誤って押し込まれ、ロックピン２３７が押し込まれた事態を解消し、ロックピン２３７の暗証情報設定当初の状態を復旧させる。
【０２０３】
前記リセット操作後、室内側の切替座４のカバー８６を開け、シリンダ錠１００のキー孔にキー１０２を差し込んで、シリンダ１０３をリセット（ＲＥＳＥＴ）方向へ９０°回動する。  
このようにすると、シリンダ１０３の回動変位が端部の角軸部１０４を介して連係軸９２に伝達され、該連係軸９２の角孔９２ａに係合する記憶変更ピン１６３を介して、該変更ピン１６３に係合する記憶変更カム２３０が同動する。
【０２０４】
すなわち、記憶変更ピン１６３が図３２上時計方向へ９０°回動し、これに前記ピン１６３に係合する記憶変更カム２３０が同動し、該変更カム２３０に係合する屈曲片１９１が押圧されて、該屈曲片１９１と一体の記憶リセット板１５３がバネ１９３に抗して押し下げられる。
そして、記憶リセット板１５３に形成したドグ１９６が、暗証番号設定された前記３本のロックピン２３７の係合爪２３８に係合し、該ロックピン２３７を図３３上反時計方向へ回動し、記憶変更カム２３０が９０°回動し、記憶リセット板１５３が下げ止まったところで、ロックピン２３７が静止する。
【０２０５】
その際、角軸部２３７ａと係合するストップワッシャー１７４は、ロックピン２３７と共にワッシャ受け孔１６７上を回動し、ロックピン２３７と同角度回動したところで、裏面の係合溝１７４ｂがワッシャ受け孔１６７の底部の突起１７３に係合し、かつこれにロックスプリング２４３の押圧力が作用して静止し、前記ロックピン２３７の回動位置を保持する。
【０２０６】
この状況は図３６のようで、前記暗証番号設定した３本のロックピン２３７の係合爪２３８が同図上斜め下向きに位置し、その位置は暗証情報設定前の初期位置に相当し、前記３本のロックピン２３７に設定された暗証情報を解除する。
すなわち、前記３本のロックピン２３７はプレートキー孔２１１において、図３４（ｄ）に示す前記リセット位置から反時計方向へ９０°回動し、第２軸キー２４１の当接面２４１ａがプレートロック孔２１１ａと平行に位置し、暗証情報設定前の初期位置を回復する。
【０２０７】
なお、前記キー１０２はシリンダ１０３を回動後、逆方向へ９０°回動され、シリンダ１０３が原位置に復帰したところで引き抜かれる。
このため、前述同様に記憶変更カム２３０がシリンダ１０３の回動変位に同動し、記憶りセット板１５３がバネ１９３に押し上げられ、ロックピン２３７が前記暗証情報設定前の状態に復帰する。
【０２０８】
こうして暗証情報解除後、その解除作業の適否を確認することが望ましい。
その場合は、先ず開扉状態の下でドア１の外側からリセットボタン１９を押圧し、前述の要領でリセット操作後、エンターボタン２１を押圧してエンタ−ピン１６８を押し込む
そして、第１乃至第３スライダ２４５〜２４７を押し上げ、これにロック板１５５を同動させて、ロック板１５５の下端の屈曲片２１２，２１３を駆動カム５８の上方へ移動させ、凸部５８ａから離間させて、該凸部５８ａと切欠部２１３ａとの係合を解除し、駆動カム５８を回動可能にする。
【０２０９】
この後、レバーハンドル６を回動し、これに本締錠８を介して角芯棒６２を回動し、デッドボルト９が後退すれば、前記暗証情報解除が適正に行われたことが確認される。
【０２１０】
前記暗証情報解除作業の適正を確認後、新たな暗証番号を採択し、その暗証情報を前述の暗証情報設定時と同様の要領で記憶入力すれば、暗証情報を変更し得る。
このように本発明の暗証情報の変更は、リセットボタン１９の押圧と、切替座４のシリンダ１０３をリセット（ＲＥＳＥＴ）方向へ回動するだけで行なえ、従来のようにドア１から錠前またはその主要部を取外す煩雑な操作や、ピンやドライバー等の工具の使用が不要になるから、暗証情報変更作業を容易かつ速やかに行なえる。
【０２１１】
次に、実施形態のボタン錠を空錠使用する場合、つまり閉扉によって施錠されず、レバーハンドル６，７の操作によって室内外から開扉する空錠使用する場合、これを例えば自動施錠状態から空錠状態に切り換える場合は、開扉状態の下でドア１の外側からリセットボタン１９を押圧し、前述の要領でリセット操作する。
前記リセット操作によって、暗証番号設定後、空錠切換え前に押しボタン２０が悪戯または誤って押し込まれ、ロックピン２３７が押し込まれた事態を解消し、ロックピン２３７の暗証番号設定当初の状態を復旧させる。
【０２１２】
前記リセット操作後、設定した暗証情報を基に所定の押しボタン２０を押圧し、前述の解錠時と同様な要領で、ロックピン２３７をプレートキー孔２１１内で解錠可能に位置付け、ロック板１５５を上動可能に設定する。
そして、エンターボタン２１を押圧し、内側のエンターピン１６８を押し込んで、第１乃至第３スライダ２４５〜２４７を介しロック板１５５を押し上げ、レバーハンドル６を押し下げ、つまりデッドボルト９をドア１の端面から後退させて、室内側の切替座４のカバー８６を開け、内側の切替摘み１０７を自動施錠（Ａｕｔｏ  Ｌｏｃｋ）から空錠（Ｆｒｅｅ）位置へ切換え後、レバーハンドル６を原位置へ戻しデッドボルト９を突出させる
【０２１３】
そして、前述のように前記切替摘み１０７を回動し、自動施錠位置から空錠位置へ切換えると、切替軸１０８に連結されたリセットピン１６５が通孔２２４を中心に図２５（ａ）上時計方向へ回動し、突起２３５が開口部２０７内を回動して上側の口縁部に係合し、開口部２０７に形成した切欠溝２０７ａに係合して静止し、空錠（Ｆｒｅｅ）位置に切換わる。
【０２１４】
この状況は図２５（ｂ）のようで、リセットピン１６５が開口部２０７の下側口縁部の上方に離間して位置し、その離間分、ロック板１５５が上動し得る。
したがって、エンターボタン２１を押し込むことなく、レバーハンドル６が回動し得、該レバーハンドル６の開操作によって本締錠８を介し、角芯棒６２が回動してデッドボルト９が後退し、開扉可能になる。
【０２１５】
そこで、前記空錠切換え後、その適否を確認することが望ましい。
その場合は、室外のレバーハンドル６を開操作し、エンターボタン２１を押し込むことなく、開扉できるか否かを確認し、また室内のレバーハンドル７を開操作し、開扉できるか否かを確認し、開扉できない場合は適正状態に修正する。
【０２１６】
一方、空錠状態から自動施錠状態に切換える場合は、室外のレバーハンドル６を押し下げ開操作したまま、室内側の切替座４のカバー８６を開け、内側の切替摘み１０７を空錠（Ｆｒｅｅ）位置から自動施錠（Ａｕｔｏ  Ｌｏｃｋ）位置へ切換え、この後、レバーハンドル６を原位置へ戻しデッドボルト９を突出させる。
そして、前記空錠状態から自動施錠状態への切換え後、その適否を確認することが望ましい。
【０２１７】
その場合は、室外側からはリセットボタン２１を押圧してリセット操作し、暗証情報を設定した押しボタン２０を押圧し、エンターボタン２１を押圧後にレバ−ハンドル６を開操作し、開扉し得るか否かを確認する。
【０２１８】
次に、実施形態のボタン錠をデッドロック使用する場合、つまり閉扉によって自動的に施錠され、室外側からシリンダ錠７０をキー操作して開扉するデッドロック使用の場合は、開扉状態の下で室内側の切替座４のカバ−８６を開け、デッドロックボタン１２７を押圧しながら、切替摘み１０７をＤｅａｄ方向へ回動する。
【０２１９】
すなわち、前記デッドロックボタン１２７をバネ１３１に抗して押圧し、脚１２９を段部１２５上に着座させ、切替板１２８のてこ作用によって切替板１２８の他端部の変位を拡大し、舌片１１３ないしストッパ１１１を介しバネ１１６を押し縮めて係止作用を解除し、切替摘み１０７をＤｅａｄ  Ｌｏｃｋ方向へ回動する。
【０２２０】
このようにすると、切替摘み１０７と一体の連係軸１０８に係合したリセットピン１６５が回動し、該ピン１６５の突起２３５が開口部２０７内を回動して下側の口縁部に係合し、その下側開口縁の中間部に突起２３５が係合して、デッドロック（Ｄｅａｄ  Ｌｏｃｋ）位置に切換わる。
【０２２１】
この状況は図２５（ｃ）のようで、リセットピン１６５の突起２３５が開口部２０７の下側口縁部の中間部に係合し、ロック板１５５の上動を阻止する。
したがって、この場合は押しボタン２０の押圧操作による解錠は不可能になる。
なお、デッドロックボタン１２７は押圧解除後、バネ１３１によって外側へ突出し原位置に復帰する。
【０２２２】
そこで、室外側下部のシリンダ錠７０のキー孔にキー７１を差し込み、シリンダ７２を回動すると、ベベルギヤ７６，７８が回動し、該ギヤ７８に噛合するギヤ６５が回動して、該ギヤ６５の内側にピン止めした角芯棒６２が回動する。
したがって、本締錠８を介しデッドボルト９がドア枠の凹所から後退し、この後レバーハンドル６を外側へ引けば開扉される。この場合、室内側からはレバーハンドル７を回動操作すれば開扉される。
【０２２３】
一方、前記デッドロックを解除する場合は、室内側の切替座４のカバー８６を開け、切替摘み１０７をバネ１１６に抗してオートロック方向へ回動する。
このようにすると、切替摘み１０７と一体の連係軸１０８に係合したリセットピン１６５が前述と逆方向へ回動し、該ピン１６５の突起２３５が開口部２０７内を回動して下側口縁部との係合ないし係合力を解除し、ロック板１５５が原位置に復帰するとともに、前記突起２３５が側方へ位置したところで静止し、オートロック（Ｄｅａｄ  Ｌｏｃｋ）位置に切換わる。
この状況は図２５（ａ）のようで、リセットピン１６５が開口部２０７の下側口縁部の直上に位置し、その離間分、ロック板１５５の上動が可能になり、オートロック状態を回復する。
【０２２４】
図３７および図３８は本発明の他の実施形態を示し、前述の構成と対応する部分に同一の符号を用いている。
これらの実施形態は、押しボタン２０の個数と配置を変更したハウジング１８の種々のデザインを示し、該ハウジング１８の外形寸法および外観の基本的なデザインは前述と同様で、該ハウジング１８の内側に前述と同一の暗証情報制御装置１４９を使用している。
【０２２５】
このうち、図３７の実施形態は、前述の実施形態の各列最上部の押しボタン２０を省略し、当該部の押しボタン挿通孔２３を閉塞して中実状のスペースを形成し、４個の押しボタン２０を３列に配置し、アルファベット表示の押しボタン２０はＡ、Ｂ２個とし、合計１２個の押しボタン２０で構成している。
この場合、省略する押しボタン２０に対応する暗証情報制御装置１４９のロックピン２３７やストップワッシャー１７４等の機構は、そのまま残置し、ハウジング１８のデザインの変更に対応して、デザインおよび製作の合理化を図るようにしている。
【０２２６】
図３８の実施形態は、前述の実施形態の２列目のアルファベット表示の押しボタン２０を省略し、当該部の押しボタン挿通孔２３を省略して中実状のスペースを形成し、数字表示のみの１０個の押しボタン２０で構成している。
この場合、省略する押しボタン２０に対応する暗証情報制御装置１４９のロックピン２３７やストップワッシャー１７４等の機構は、前述のようにそのまま残置し、ハウジング１８のデザインの変更に対応して、デザインおよび製作の合理化を図るようにしている。
【産業上の利用可能性】
【０２２７】
このように本発明のボタン錠は、施解錠の暗証情報を設定し記憶する機構とその構成部品を集約してカートリッジ状に構成し、これをハウジング内部に着脱可能に装着し、種々の表装デザインに流用し得るようにして、合理的な製作とデザインおよびメンテナンスの合理化を図り、量産化を促すとともに、暗証情報の設定や変更をドアに取付けたまま、工具の使用を要することなく容易かつ速やかに行なえ、しかも防御機能を強化して使用上の利便性と安全性を向上し、更に設計を合理化しロックピンの強度負担を軽減して、押しボタンの悪戯や押し間違いによる故障を回避し、使用上の安全性と生産性の向上を図れるから、住宅や会社、駅舎、店舗、病院等のドア錠に好適である。
【符号の説明】
【０２２８】
１            ドア
２            ボタン錠
３            室外座
４            切替座
５            ハンドル取付座
８            本締錠
１８          ハウジング
２０          押しボタン
２１          エンターボタン
【０２２９】
３５          ボタン押え板
３８          通孔
４３          探り防止板
５０          長孔
５８          駆動カム
５８ａ        凸部
６２          角芯棒
７０          シリンダ錠
【０２３０】
８６          カバー
１０２        キー
１０３        回動体
１０７        切替摘み
１２７        デッドロックボタン
１４９        暗証情報制御装置
１５０        制御装置カバー
１５１        記憶セット板
【０２３１】
１５３        記憶リセット板
１５４        リセット板
１５５        ロック板
１５６        制御装置ケース
１６５        リセットピン
１６８        エンタ−ピン
１７３        突起
１７４        ストップワッシャー
【０２３２】
１７４ａ      角孔
１７４ｂ      係合溝
１８６        ドグ
１９６        ドグ
２０７        開口窓
２１１        プレートキー孔
２１１ａ      プレートロック孔
２０５        リセットバネ
【０２３３】
２１７        緩衝板
２２０        ブレーキバネ
２３０        記憶変更カム
２３５        突起
２３６        係合片
２３７        ロックピン
２３８        係合爪
２４５        第１スライダ
２４６        第２スライダ
【図１】
2011252280.tif 000003
【図２】
2011252280.tif 000004
【図３】
2011252280.tif 000005
【図４】
2011252280.tif 000006
【図５】
2011252280.tif 000007
【図６】
2011252280.tif 000008
【図７】
2011252280.tif 000009
【図８】
2011252280.tif 000010
【図９】
2011252280.tif 000011
【図１０】
2011252280.tif 000012
【図１１】
2011252280.tif 000013
【図１２】
2011252280.tif 000014
【図１３】
2011252280.tif 000015
【図１４】
2011252280.tif 000016
【図１５】
2011252280.tif 000017
【図１６】
2011252280.tif 000018
【図１７】
2011252280.tif 000019
【図１８】
2011252280.tif 000020
【図１９】
2011252280.tif 000021
【図２０】
2011252280.tif 000022
【図２１】
2011252280.tif 000023
【図２２】
2011252280.tif 000024
【図２３】
2011252280.tif 000025
【図２４】
2011252280.tif 000026
【図２５】
2011252280.tif 000027
【図２６】
2011252280.tif 000028
【図２７】
2011252280.tif 000029
【図２８】
2011252280.tif 000030
【図２９】
2011252280.tif 000031
【図３０】
2011252280.tif 000032
【図３１】
2011252280.tif 000033
【図３２】
2011252280.tif 000034
【図３３】
2011252280.tif 000035
【図３４】
2011252280.tif 000036
【図３５】
2011252280.tif 000037
【図３６】
2011252280.tif 000038
【図３７】
2011252280.tif 000039
【図３８】
2011252280.tif 000040